(57)【特許請求の範囲】
【請求項１】
住宅仕様の確定に必要なデータを管理するサーバと、このサーバにネットワークを介して接続された利用者が操作する端末装置と、を含んで構成され、顧客の住宅仕様の確定を支援するための住宅仕様確定支援システムにおいて、
前記サーバは、
前記顧客の基本情報を、前記顧客の識別情報と、前記顧客の住宅の識別情報と、に関連付けて記憶する顧客情報記憶手段と、
前記顧客の住宅仕様情報を、前記顧客の識別情報と、前記顧客の前記住宅の前記識別情報と、に関連付けて記憶する住宅仕様情報記憶手段と、
前記顧客情報記憶手段と、前記住宅仕様情報記憶手段と、前記サーバに保存された仕上表の雛形に基づいて、前記顧客の前記住宅の仕上表を作成する処理を実行する仕上表作成処理手段と、
前記仕上表作成処理手段により作成された前記仕上表を前記端末装置へダウンロードする処理を実行する仕上表ダウンロード処理手段と、
前記端末装置にインストールされたソフトウェアで読み込まれ、カスタマイズされた前記仕上表の前記雛形を、前記端末装置から前記ネットワークを介して前記サーバにアップロードする処理を実行する仕上表雛形アップロード処理手段と、
を備えていることを特徴とする住宅仕様確定支援システム。
【請求項２】
請求項１に記載の住宅仕様確定支援システムにおいて、カスタマイズされた前記仕上表の前記雛形が前記仕上表雛形アップロード処理手段により前記サーバにアップロードされていない場合、前記仕上表作成処理手段は、前記サーバに予めアップロードされていたカスタマイズされていない前記仕上表の前記雛形を参照して、前記顧客の前記住宅の前記仕上表を作成する処理を実行することを特徴とする住宅仕様確定支援システム。
【請求項３】
請求項１又は２に記載の住宅仕様確定支援システムにおいて、前記サーバに保存された前記仕上表の前記雛形のデータ形式は、表計算ソフトウェアで読み書き可能なスプレッドシート形式となっており、前記仕上表作成処理手段により作成される前記顧客の前記住宅の前記仕上表のデータ形式も、表計算ソフトウェアで読み書き可能なスプレッドシート形式となっていることを特徴とする住宅仕様確定支援システム。
【請求項４】
請求項３に記載の住宅仕様確定支援システムにおいて、前記仕上表の前記雛形のうち、カスタマイズ可能な部分となっているセルの背景は、着色されていることを特徴とする住宅仕様確定支援システム。
【請求項５】
請求項１〜４のいずれかに記載の住宅仕様確定支援システムにおいて、カスタマイズされた前記仕上表の前記雛形の前記サーバへのアップロードは、前記仕上表作成処理手段による前記仕上表の作成処理の開始確認時に可能となっていることを特徴とする住宅仕様確定支援システム。
【請求項６】
請求項１〜５のいずれかに記載の住宅仕様確定支援システムにおいて、住宅のディーラーで運用されるものであり、前記仕上表の前記雛形は、前記ディーラー毎にカスタマイズ可能となっていることを特徴とする住宅仕様確定支援システム。
【発明の詳細な説明】
【技術分野】
【０００１】
本発明は、住宅仕様の確定を支援するための住宅仕様確定支援システムに係り、例えば、プレハブ住宅の仕様の確定を支援するために利用することができる。
【背景技術】
【０００２】
従来より、コンピュータを利用して住宅仕様の確定を支援するための住宅仕様確定支援システムが提案されている。
【０００３】
下記の特許文献１に示されている住宅仕様確定支援システムは、図１に示されているように、住宅仕様の確定に必要なデータを管理するサーバ１と、このサーバ１にネットワーク２を介して接続された利用者が操作する端末装置３と、を含んで構成されるものであり、サーバ１は、顧客の住宅仕様情報（顧客の住宅を構成する部品の属性情報等）を、この顧客の住宅の識別情報（特許文献１では、顧客の識別情報である顧客ＩＤ）と関連付けて記憶する住宅仕様情報記憶手段を構成する住宅仕様情報テーブル１１（図１参照）等と、前記顧客の前記住宅仕様情報を選択入力させるための住宅仕様情報選択入力画面を構成する部品属性情報選択入力画面１１０（図７参照）等の表示用データを端末装置３へ送信するとともに、部品属性情報選択入力画面１１０等で選択入力されて端末装置３からネットワーク２を介して送信されてくる前記顧客の前記住宅仕様情報を受信する処理を実行する住宅仕様情報選択入力受付処理手段２１（図１参照）と、この住宅仕様情報選択入力受付処理手段２１により受け付けた前記顧客の前記住宅仕様情報を、前記顧客の前記住宅の前記識別情報と関連付けて前記住宅仕様情報記憶手段に記憶させる処理を実行する住宅仕様情報登録処理手段３１（図１参照）と、を備えている。
【先行技術文献】
【特許文献】
【０００４】
【特許文献１】特開２０１０−２５０３５７号公報（図１、図７等）
【発明の概要】
【発明が解決しようとする課題】
【０００５】
ところで、上述した従来の住宅仕様確定支援システムを利用しても、住宅のディーラー（販売店）の担当者が顧客と行う住宅仕様の打合せは、複数回にわたる。この場合において、次回の打合せ日までの期間が長くなってしまうと、顧客は、次回の打合せにおいて、前回までの打合せの内容を思い出すことは容易ではなく、このため、住宅仕様を確定するための顧客との打合せに時間が掛かる要因となっていた。
【０００６】
このため、打合せが複数回にわたっても、住宅仕様の確定をより迅速に行える住宅仕様確定支援システムの工夫が求められていた。
【０００７】
本発明の目的は、住宅仕様の確定をより迅速に行えるようになる住宅仕様確定支援システムを提供するところにある。
【課題を解決するための手段】
【０００８】
本発明に係る住宅仕様確定支援システムは、住宅仕様の確定に必要なデータを管理するサーバと、このサーバにネットワークを介して接続された利用者が操作する端末装置と、を含んで構成され、顧客の住宅仕様の確定を支援するための住宅仕様確定支援システムにおいて、前記サーバは、前記住宅を構成する部品の仕様情報を、この部品の識別情報と関連付けて記憶する部品仕様情報記憶手段と、前記顧客の前記住宅を構成する前記部品のカタログを作成する処理を実行する部品カタログ作成処理手段と、前記部品カタログ作成処理手段により作成された前記カタログを前記端末装置へダウンロードする処理を実行する部品カタログダウンロード処理手段と、前記カタログを作成する前記部品を選択入力させるためのカタログ作成部品選択入力画面の表示用データを前記端末装置へ送信するとともに、前記カタログ作成部品選択入力画面で選択入力されて前記端末装置から前記ネットワークを介して送信されてくる前記部品の前記識別情報を受信する処理を実行するカタログ作成部品選択入力受付処理手段と、を備え、前記部品カタログ作成処理手段は、前記カタログ作成部品選択入力受付処理手段により受け付けた前記部品の前記識別情報と、前記部品仕様情報記憶手段と、に基づき、前記カタログを作成する処理を実行することを特徴とするものである。
【０００９】
本発明では、前記顧客の前記住宅を構成する部品の前記カタログが、前記サーバで作成され、作成された前記カタログは、前記端末装置にダウンロードされるものとなっている。
【００１０】
すなわち、まず、前記カタログを作成する前記部品を選択入力させるためのカタログ作成部品選択入力画面の表示用データを前記端末装置へ送信するとともに、前記カタログ作成部品選択入力画面で選択入力されて前記端末装置から前記ネットワークを介して送信されてくる前記部品の前記識別情報を受信する処理が、前記サーバのカタログ作成部品選択入力受付処理手段により実行される。
【００１１】
そして、前記カタログ作成部品選択入力受付処理手段により受け付けた前記部品の前記識別情報と、前記住宅を構成する部品の仕様情報を、この部品の識別情報と関連付けて記憶する前記部品仕様情報記憶手段と、に基づき、前記カタログを作成する処理が、前記サーバの前記部品カタログ作成処理手段により実行される。
【００１２】
この後、前記部品カタログ作成処理手段により作成された前記カタログを前記端末装置へダウンロードする処理を実行するが、前記サーバの前記部品カタログダウンロード処理手段により実行される。
【００１３】
したがって、本発明では、仕様の打合せが今回終わらなかった（次回に持ち越しになった）部品や、次回に仕様の打合せを行う部品についてのカタログを、端末装置にダウンロードすることができ、顧客は、このダウンロードされた前記カタログを持ち帰ることができる。そして、顧客は、ダウンロードされた前記カタログを、持ち帰り検討用カタログとして、また、次回の打合せの予習用カタログとして、利用することができる。
【００１４】
このため、顧客は、次回の住宅のディーラーの担当者との打合せをスムーズに行うことができるようになる。言い換えると、住宅のディーラーの担当者は、次回の顧客との打合せをスムーズに行うことができるようになる。
【００１５】
このように、本発明によると、住宅仕様の確定をより迅速に行えるようになる。
【００１６】
本発明において、前記部品カタログに出力されるデータ項目（情報項目）は、少なくとも前記部品の仕様を確定するために必要な情報（前記部品仕様情報記憶手段に記憶された前記部品の前記仕様情報）が記載されているものであれは、任意なものでよい。また、前記部品カタログに出力されるデータ項目のレイアウトも任意なものでよい。
【００１７】
また、本発明において、前記部品には、親部品と、この親部品に従属する関係となっている子部品と、があるものとした場合には、前記部品仕様情報記憶手段は、少なくとも前記親部品の識別情報と、前記親部品の属性情報と、前記子部品の属性情報を、前記子部品の識別情報と関連付けて記憶する子部品属性候補情報記憶手段を含んで構成されるものとし、前記部品カタログ作成処理手段は、前記子部品属性候補情報記憶手段に基づいて（言い換えると、前記子部品属性候補情報記憶手段を参照して）、前記親部品に対して選択された前記属性情報により決定される前記子部品の属性候補情報が記載された子部品属性候補情報を、前記カタログに出力する処理を実行するようにしてもよい。
【００１８】
これによると、前記子部品属性候補情報記憶手段には、前記親部品の前記属性情報と、この親部品の前記属性情報に従属する前記子部品の前記属性情報が記憶される。すなわち、前記子部品属性候補情報記憶手段には、前記親部品に対して選択された前記属性情報により決定される前記子部品の前記属性候補情報が記憶される。
【００１９】
そして、前記カタログには、前記子部品属性候補情報記憶手段に基づいて、前記親部品に対して選択された前記属性情報により決定される前記子部品の属性候補情報が記載された子部品属性候補情報が出力される処理が、前記部品カタログ作成処理手段により実行される。
【００２０】
これにより、顧客は、持ち帰った前記カタログを見て、前記親部品の前記属性情報と前記子部品の前記属性情報の最適な組合せを予め把握することができるようになる。
【００２１】
なお、前記子部品親部品の前記属性情報に従属する前記子部品の前記属性情報は、１件でもよく、複数件でもよい。すなわち、前記親部品に対して選択された前記属性情報により決定される前記子部品の前記属性候補情報は、１件でもよく、複数件でもよい。
【００２２】
また、本発明において、前記部品仕様情報記憶手段は、前記部品に対して選択可能な属性情報を、前記部品の前記識別情報と関連付けて記憶する部品属性情報記憶手段を含んで構成されるものとし、前記部品属性情報記憶手段の前記属性情報には、少なくとも前記部品の属性種別の名称である属性種別名称と、前記属性種別に対して選択可能な属性値の名称である属性値名称及び／又は前記属性値を画像で表した属性画像と、が含まれるものとしてもよい。すなわち、前記部品属性情報記憶手段の前記属性情報には、少なくとも前記部品の属性種別名称と、前記属性種別に対して選択可能な属性値名称のみ、又は、属性画像のみ、又は、属性値名称と属性画像の両方が含まれるもの（３通りの組合せ）いずれかとしてもよい。
【００２３】
そして、この場合において、前記部品カタログ作成手段は、前記部品属性情報記憶手段の前記部品の前記属性情報のうち、前記属性画像を有する前記部品の前記属性情報を、前記カタログに出力する処理を実行することが好ましい。すなわち、前記部品カタログ作成手段により前記カタログに出力される前記部品の前記属性情報は、前記属性画像を含むものであることが好ましい。
【００２４】
なぜならば、顧客は、文字情報のみの属性情報である属性値名称を見ただけでは、部品の属性値のイメージが湧かないからである。このため、前記カタログには、視覚に訴え、一目で分かる属性画像が出力されることが好ましい。
【００２５】
なお、前記部品の属性種別の名称である属性種別名称とは、部品がバスユニットの「本体セット」である場合には、例えば「床色」、「扉の向き」、「開閉方法」等がある。そして、属性種別名称が「床色」の属性値の名称である属性値名称には、例えば「単色ベージュ」、「単色ライトグレー」等があり、属性種別名称が「扉の向き」の属性値名称には、例えば「ＬＡ」、「ＬＢ」、「ＲＡ」、「ＲＢ」、「ＬＤ」、「ＲＤ」等があり、属性種別名称が「開閉方法」の属性値名称には、「折戸」、「開き戸」、「片引戸」、「３枚引戸」等がある。
【００２６】
また、部品がトイレの「便器」である場合には、属性種別名称として、例えば「キャビネット色」、「色」、「手洗有無」等がある。そして、属性種別名称が「キャビネット色」の属性値名称には、例えば「ＮＷウォールナット」、「ＮＷヒノキ」、「ホワイト」、「Ｎｗチェリー」等があり、属性種別名称が「色」の属性値名称には、例えば「オフホワイト」、「ピュアホワイト」等があり、属性種別名称が「手洗有無」の属性値名称には、「手洗器あり」、「手洗器なし」がある。
【００２７】
以上の本発明において、前記部品カタログ作成処理手段により作成される前記カタログのデータ形式は任意なものでよいが、前記カタログのデータ形式（ファイル形式）は、アプリケーションソフトウェアやビューワー（表示・閲覧専用）ソフトウェア等で読み込み可能なデータ形式であることが好ましい。
【００２８】
これによると、顧客は、持ち帰った前記カタログを自宅のパソコン（ＰＣ）等で容易に閲覧したり、印刷したりすることができるようになる。また、前記カタログのデータ形式が、アプリケーションソフトウェアで読み込み可能なデータ形式であれば、住宅のディーラーの担当者が、顧客に前記カタログを渡す前に、必要に応じて前記カタログにコメント（補足事項）等を入力したりすることができる。
【００２９】
なお、これらのソフトウェアは、市販されているものでもよく、無料（無償）配布されているものでもよい。
【００３０】
なお、前記部品カタログ作成処理手段により作成された前記カタログは、前記端末装置にインストールされている上述したソフトウェアで読み込み、前記端末装置に接続された出力手段であるプリンターに出力したものを顧客に渡すようにしてもよい。
【００３１】
なお、前記カタログの前記データ形式は、より具体的には、例えば、表計算ソフトウェアで読み込み可能なスプレッドシート形式でもよく、文書作成ソフトウェアで読み込み可能な文書ファイル形式でもよく、画像処理ソフトウェアで読み込み可能な画像ファイル形式等でもよい。
【００３２】
以上の本発明において、前記部品カタログ作成処理手段により前記カタログを作成する前記部品を選択入力させるための前記カタログ作成部品選択入力受付処理手段は、前記顧客の前記住宅仕様情報を選択入力させるための前記住宅仕様情報選択入力画面の表示用データを前記端末装置へ送信するとともに、前記住宅仕様情報選択入力画面で選択入力されて前記端末装置から前記ネットワークを介して送信されてくる前記顧客の前記住宅仕様情報を受信する処理を実行する前記住宅仕様情報選択入力受付処理手段の一部を構成するものであってもよく、前記住宅仕様情報選択入力受付処理手段に含まれずに、前記カタログ作成部品選択入力受付処理手段単独で（独立して）構成されるものであってもよい。
【００３３】
すなわち、例えば、前記カタログを作成する前記部品を選択入力させるための前記カタログ作成部品選択入力画面は、仕様を確定する前記顧客の前記住宅を構成する前記部品を選択入力させるための部品選択入力画面を兼ねるものとなっていてもよく、前記カタログ作成部品選択入力画面が、前記カタログを作成する前記部品を選択入力させるための専用画面となっていてもよい。
【００３４】
前者の場合には、例えば、前記サーバは、顧客の住宅仕様情報を、この顧客の住宅の識別情報と関連付けて記憶する住宅仕様情報記憶手段と、前記顧客の前記住宅仕様情報を選択入力させるための前記住宅仕様情報選択入力画面の表示用データを前記端末装置へ送信するとともに、前記住宅仕様情報選択入力画面で選択入力されて前記端末装置から前記ネットワークを介して送信されてくる前記顧客の前記住宅仕様情報を受信する処理を実行する住宅仕様情報選択入力受付処理手段と、この住宅仕様情報選択入力受付処理手段により受け付けた前記顧客の前記住宅仕様情報を、前記顧客の前記住宅の前記識別情報と関連付けて前記住宅仕様情報記憶手段に記憶させる処理を実行する住宅仕様情報登録処理手段と、を備え、前記住宅仕様情報選択入力受付処理手段は、前記カタログ作成部品選択入力受付処理手段を含んで構成されているものとなる。
【００３５】
なお、前記部品カタログ作成処理手段により作成された前記カタログは、前記端末装置にダウンロードされずに、前記端末装置に接続された出力手段であるプリンターに直接出力されるものとなっていてもよい。
【発明の効果】
【００３６】
本発明によると、住宅仕様の確定をより迅速に行えるようになるという効果を得られる。
【図面の簡単な説明】
【００３７】
【図１】図１は、本発明の一実施形態に係る住宅仕様確定支援システムのシステム構成図である。
【図２】図２は、一部を省略した上位カテゴリ表示・選択画面を示す図である。
【図３】図３は、図２に示す上位カテゴリ表示・選択画面の部分拡大図である。
【図４】図４は、下位カテゴリ表示・選択画面及び部品表示・選択画面の全体図である。
【図５】図５は、一部を省略した図４の下位カテゴリ表示・選択画面の拡大図である。
【図６】図６は、一部を省略した図４の部品表示・選択画面の拡大図である。
【図７】図７は、部品（下位カテゴリがバスユニットシリーズ・グレード）の属性情報の選択入力を行うための部品属性情報選択入力画面（顧客モード）を示す図である。
【図８】図８は、図７の画面で部品の属性情報の選択入力が完了したときを示す図である。
【図９】図９は、図７の画面で属性の選択入力が完了した後の下位カテゴリ表示・選択画面及び部品表示・選択画面を示す部分拡大図である。
【図１０】図１０は、図７の画面で部品の属性情報の選択入力が完了した部品（下位カテゴリがバスユニットシリーズ・グレード）を１番左側に表示させた図９と同様の図である。
【図１１】図１１は、部品（本体セット）の属性情報の選択入力を行うための部品属性情報選択入力画面（顧客モード）を示す図であって、部品の属性情報の選択入力が完了したときを示す図である。
【図１２】図１２は、図１１の画面で部品（本体セット）の属性情報の選択入力が完了した後の下位カテゴリ表示・選択画面及び部品表示・選択画面を示す図９と同様の図である。
【図１３】図１３は、部品（本体セット）の属性情報の選択入力を行うための部品属性情報選択入力画面（担当者モード）を示す図であって、部品の属性情報の選択入力が完了したときを示す図である。
【図１４】図１４は、図１３の画面で部品（本体セット）の属性情報の選択入力が完了した後の下位カテゴリ表示・選択画面及び部品表示・選択画面を示す図９と同様の図である。
【図１５】図１５は、図６に示す部品情報カードに配置されたマイカタログシート出力ボタンが押下されたときに表示されるマイカタログシート作成処理開始確認ウィンドウを示す図である。
【図１６】図１６は、サーバの部品カタログ作成処理手段により作成されたマイカタログシートのダウンロード処理開始確認ウィンドウを示す図である。
【図１７】図１７は、作成されたマイカタログシートの保存先指定ウィンドウを示す図である。
【図１８】図１８は、端末装置にインストールされた表計算ソフトウェアで読み込まれ、この端末装置に接続された出力手段であるディスプレイに出力されたマイカタログシートの一部を示す図である。
【図１９】図１９は、図１８に示すマイカタログシートの続きを示す図である。
【図２０】図２０は、図１８に示すマイカタログシートの本体セットの選択条件の拡大図である。
【図２１】図２１は、端末装置にインストールされた表計算ソフトウェアで読み込まれ、この端末装置に接続された出力手段であるプリンターに出力されたマイカタログシートの一部を示す図である。
【図２２】図２２は、図２１に示すマイカタログシートの続きを示す図である。
【図２３】図２３は、属性情報の選択入力が確定した部品の一覧を照会するための仕様確定済部品一覧照会画面（担当者モード）を示す図である。
【図２４】図２４は、図２３に示す帳票出力ボタンが押下されることにより表示される出力帳票選択メニューウィンドウを示す図である。
【図２５】図２５は、図２４に示す出力帳票選択メニューウィンドウで、仕上表が選択されたときに表示される仕上表作成処理開始確認ウィンドウを示す図である。
【図２６】図２６は、図２５に示すウィンドウにおいて「参照」ボタンが押下されたときに表示される仕上表雛形ファイル指定ウィンドウを示す図である。
【図２７】図２７は、サーバの仕上表作成処理手段により作成された仕上表のダウンロード処理開始確認ウィンドウを示す図である。
【図２８】図２８は、作成された仕上表の保存先指定ウィンドウを示す図である。
【図２９】図２９は、端末装置にインストールされた表計算ソフトウェアで読み込まれ、この端末装置に接続された出力手段であるディスプレイに出力された仕上表の全体図を示す図である。
【図３０】図３０は、図２９に示された仕上表のうち、内部仕上表欄の一部の拡大図である。
【図３１】図３１は、図２９に示された仕上表のうち、内部仕様欄と、表題欄の一部の拡大図である。
【図３２】図３２は、図２９に示された仕上表のうち、外部仕様欄、工事範囲欄、特記事項欄、防火性能欄、表題欄の一部の拡大図である。
【図３３】図３３は、端末装置に接続された出力手段であるプリンターに出力された仕上表の全体図を示す図である。
【発明を実施するための形態】
【００３８】
以下に本発明を実施するための形態を図面に基づいて説明する。図１は、本発明の一実施形態に係る住宅仕様確定支援システムのシステム構成図である。この図１に示すように、本実施形態に係る住宅仕様確定支援システムは、住宅仕様の確定に必要なデータを管理するサーバ１と、このサーバ１にネットワーク２を介して接続された端末装置３と、を含んで構成されている。
【００３９】
サーバ１には、住宅仕様の確定に必要なデータベースを構成するトランザクションデータやマスタデータが備えられている。トランザクションデータは、顧客情報テーブル１０と、住宅仕様情報テーブル１１と、住宅部品カテゴリパターン情報テーブル１２と、住宅部品カテゴリ進捗情報テーブル１３と、を含んで構成されている。また、マスタデータは、部品カテゴリ情報マスタ２０と、部品カテゴリパターン情報マスタ２１と、部品情報マスタ２２と、部品属性情報マスタ２３と、子部品属性候補情報マスタ２４と、部品シリーズ名情報マスタ２５と、を含んで構成されている。
【００４０】
この他、サーバ１には、後述する部品カタログ作成処理手段５０により作成され、後述する部品カタログダウンロード処理手段５１により端末装置３にダウンロードされるスプレッドシート形式の部品カタログであるマイカタログシート１４、後述する仕上表雛形アップロード処理手段５４により端末装置３からアップロードされたスプレッドシート形式の仕上表の雛形１５、後述する仕上表作成処理手段５５により作成され、仕上表ダウンロード処理手段により端末装置３にダウンロードされるスプレッドシート形式の仕上表１６等が保存されるものとなっている。
【００４１】
顧客情報テーブル１０は、顧客の基本情報を記憶するためのテーブルとなっており、この顧客情報テーブルのデータ項目には、顧客ＩＤ、プランＩＤ、契約Ｎｏ、氏名、建設地、契約日、着工予定日、引渡し予定日、部材発注予定日、部材入荷予定日等があり、顧客ＩＤが顧客の識別情報となっており、プランＩＤが顧客の住宅の識別情報となっている。
【００４２】
このため、顧客情報テーブル１０は、顧客の基本情報を、顧客ＩＤとプランＩＤとに関連付けて記憶（新規登録又は更新）する顧客情報記憶手段となっている。
【００４３】
住宅仕様情報テーブル１１は、顧客の住宅の仕様情報を記憶するためのテーブルであり、この住宅仕様情報テーブル１１のデータ項目には、顧客ＩＤ、プランＩＤ、部品カテゴリＩＤ、パターンＩＤ、部品ＩＤ、確定品番（仕様が確定した部品の商品番号（型番））、確定部品名称（仕様が確定した部品の名称）、確定部品単価（仕様が確定した部品の単価）、確定数量（仕様が確定した部品の発注数量）、属性種別の名称である属性種別名称（例えば、仕様が確定した部品の幅、高さ、奥行き、材質、色等）、属性値の名称である属性値名称（仕様が確定した部品の属性種別に対する値の名称）、属性値を画像で表した属性画像（この画像が格納されているサーバ１のファイルパス）、メーカーＩＤ、メーカー名称、確定保留区分、仕上区分等がある。ここで、部品カテゴリＩＤは、住宅を構成する部品のカテゴリの識別情報であり、パターンＩＤは、住宅における部品が配置される場所のパターンの識別情報であり、部品ＩＤは、住宅を構成する部品の識別情報であり、メーカーＩＤは、部品のメーカーの識別情報である。このため、住宅仕様情報テーブル１１は、顧客の住宅を構成する部品の仕様情報（属性情報）を、顧客ＩＤと、プランＩＤと、部品カテゴリＩＤと、パターンＩＤと、に関連付けて記憶する住宅仕様情報記憶手段となっている。
【００４４】
なお、「確定保留区分」とは、この住宅仕様情報テーブル１１に登録されている仕様情報が、確定されたものであるか、あるいは、確定が保留されているものであるかどうかを判定するための区分であり、本実施形態では、「確定保留区分」には、１（確定）、２（保留）等がある。
【００４５】
また、「仕上区分」とは、部品の仕上場所の区分であり、仕上表作成処理手段５５による仕上表の作成処理の際に参照される。本実施形態では、「仕上区分」には、０（仕上カテゴリ以外）、１（壁）、２（天井）等がある。
【００４６】
なお、本実施形態では、部品のカテゴリは、３階層のカテゴリとなっており、この部品のカテゴリには、最上位カテゴリと、上位カテゴリと、下位カテゴリと、があり、上述した部品カテゴリＩＤは、部品の下位のカテゴリの識別情報となっている。
【００４７】
住宅部品カテゴリパターン情報テーブル１２は、顧客の住宅における部品の下位カテゴリが配置される場所のパターン情報を記憶するためのテーブルであり、この住宅部品カテゴリパターン情報テーブル１２のデータ項目には、プランＩＤ、部品カテゴリＩＤ、パターンＩＤ、パターン名称等があり、パターン名称が、顧客の住宅における部品の下位カテゴリ（下位カテゴリの部品）が配置される場所のパターンの名称であり、パターンＩＤが、パターンの識別情報である。
【００４８】
このため、住宅部品カテゴリパターン情報テーブル１２は、パターン名称を、プランＩＤと、部品カテゴリＩＤと、パターンＩＤと、に関連付けて記憶する住宅部品カテゴリパターン情報記憶手段となっている。なお、この住宅部品カテゴリパターン情報テーブル１２には、本システムで下位カテゴリごとに予め設定されているパターン名称も、プランＩＤと、部品カテゴリＩＤと、パターンＩＤと、に関連付けて記憶されている。
【００４９】
住宅部品カテゴリ進捗情報テーブル１３は、顧客の住宅の仕様情報の確定の進捗状況情報を記憶するためのテーブルであり、この住宅部品カテゴリ進捗情報テーブル１３のデータ項目には、顧客ＩＤ、プランＩＤ、上位カテゴリＩＤ、進捗状況区分、完了日時等があり、上位カテゴリＩＤは部品の上位カテゴリの識別情報となっている。すなわち、住宅部品カテゴリ進捗情報テーブル１３は、顧客の住宅を構成する部品の下位カテゴリの仕様情報（属性情報）の打合せの進捗状況情報を、この下位カテゴリが属する上位カテゴリ単位でまとめたものを記憶するためのテーブルとなっている。
【００５０】
なお、本実施形態では、「進捗状況区分」には、０（打合せ未着手）、１（打合せ中）、２（打合せ済（顧客側））、３（打合せ済（担当者側））等がある。ここで、「進捗状況区分」の値である３（打合せ済（担当者側））は、下位カテゴリに属する全部の部品について、顧客側及び担当者側で確定すべき仕様情報が確定していることを意味する。これに対して、「進捗状況区分」の値である２（打合せ済（顧客側））は、下位カテゴリに属する全部の部品について、顧客側で確定すべき仕様情報は確定しているが、下位カテゴリに属する部品の中で、担当者側で確定すべき仕様情報がまだ確定していない部品が存在することを意味するものである。また、「進捗状況区分」の値である１（打合せ中）は、下位カテゴリに属する部品の中で、顧客側で確定すべき仕様情報がまだ確定していない部品が存在することを意味する。さらに、「進捗状況区分」の値である０（打合せ未着手）は、下位カテゴリに属する全部の部品について、顧客側で確定すべき仕様情報がまだ確定していないこと、言い換えると、下位カテゴリに属する部品の中で、顧客側で確定すべき仕様情報が確定した部品が１つもないことを意味する。
【００５１】
このため、住宅部品カテゴリ進捗情報テーブル１３は、部品の上位カテゴリ単位、言い換えると、部品の上位カテゴリ別の進捗状況区分、完了日時等を、顧客ＩＤ、プランＩＤと、上位カテゴリＩＤと、に関連付けて記憶する住宅部品カテゴリ進捗情報記憶手段となっている。
【００５２】
本実施形態では、顧客情報テーブル１０と、住宅仕様情報テーブル１１と、住宅部品カテゴリパターン情報テーブル１２と、住宅部品カテゴリ進捗情報テーブル１３とで、顧客別の住宅仕様情報を顧客の住宅の識別情報（プランＩＤ）と関連付けて記憶する住宅仕様情報記憶手段を構成するものとなっている。
【００５３】
部品カテゴリ情報マスタ２０は、住宅を構成する部品（商品）のカテゴリ情報を記憶するためのマスタであり、この部品カテゴリ情報マスタ２０のデータ項目には、最上位カテゴリＩＤ、上位カテゴリＩＤ、部品カテゴリＩＤ、カテゴリ名称、表示設定区分、必須・任意設定区分、仕上区分等があり、最上位カテゴリＩＤは部品の最上位カテゴリの識別情報、上位カテゴリＩＤは部品の上位カテゴリの識別情報、部品カテゴリＩＤは部品の下位カテゴリの識別情報となっている。また、「表示設定区分」とは、後述する住宅仕様情報選択入力画面を構成する画面において、上位カテゴリや下位カテゴリのカテゴリ名称等の情報を顧客に見せるかどうかを設定するための区分であり、本実施形態では、「表示設定区分」には、０（顧客に見せる）、１（担当者にのみ見せる）等がある（以下同じ）。このため、本実施形態では、「表示設定区分」に１が設定されている上位カテゴリＩＤや部品カテゴリＩＤに対しては、後述する住宅仕様情報選択入力画面を構成する画面の顧客モード画面において、カテゴリ名称等の情報は非表示となる。
【００５４】
このため、部品カテゴリ情報マスタ２０は、カテゴリ名称、表示設定区分、必須・任意設定区分等を、最上位カテゴリＩＤと、上位カテゴリＩＤと、部品カテゴリＩＤと、に関連付けて記憶する部品カテゴリ情報記憶手段となっている。
【００５５】
部品カテゴリパターン情報マスタ２１は、住宅における部品の下位カテゴリが配置される場所のパターン情報を記憶するためのマスタであり、この部品カテゴリパターン情報マスタ２１のデータ項目には、部品カテゴリＩＤ、パターンＩＤ、パターン名称等があり、パターンＩＤはパターンの識別情報となっている。
【００５６】
このため、部品カテゴリパターン情報マスタ２１は、住宅における部品の下位カテゴリ（言い換えると、下位カテゴリの部品）が配置される場所のパターン名称を、このパターンＩＤと、部品カテゴリＩＤと、に関連付けて記憶する部品カテゴリパターン情報記憶手段となっている。
【００５７】
部品情報マスタ２２は、住宅を構成する部品情報を記憶するためのマスタであり、この部品情報マスタ２２のデータ項目には、部品ＩＤ、部品カテゴリＩＤ、部品グループ名称、品番、部品名称（品名）、部品画像（この画像が格納されているサーバ１のファイルパス）、部品単価、概要説明、販売始期、販売終期、表示設定区分、メーカーＩＤ等があり、部品ＩＤは部品（商品）の識別情報となっており、メーカーＩＤは部品のメーカーの識別情報となっている。なお、「表示設定区分」とは、部品カテゴリ情報マスタ２０の「表示設定区分」と同様に、後述する住宅仕様情報選択入力画面を構成する画面において、この部品情報マスタ２２の部品名称等の情報を顧客に見せるかどうかを設定するための区分である。
【００５８】
このため、部品情報マスタ２２は、部品グループ名称、品番、部品名称、部品画像、部品単価、概要説明、販売始期、販売終期、表示設定区分、メーカーＩＤ等を、部品ＩＤと、部品カテゴリＩＤと、に関連付けて記憶する部品情報記憶手段となっている。
【００５９】
部品属性情報マスタ２３は、部品に対して設定可能な属性情報を記憶するためのマスタであり、この部品属性情報マスタ２３のデータ項目には、部品ＩＤ、部品の属性種別の名称である部品属性種別名称、部品の属性値の名称である部品属性値名称、部品の属性値を画像で表した部品属性画像（この画像が格納されているサーバ１のファイルパス）、表示設定区分等がある。なお、「表示設定区分」とは、部品カテゴリ情報マスタ２０の「表示設定区分」と同様に、後述する住宅仕様情報選択入力画面を構成する画面において、この部品カテゴリ情報マスタ２０の部品属性種別名称、部品属性値名称、部品属性画像等の情報を顧客に見せるかどうかを設定するための区分である。
【００６０】
このため、部品属性情報マスタ２３は、部品属性種別名称、部品属性値名称、部品属性画像、表示設定区分等を、部品ＩＤと関連付けて記憶する部品属性情報記憶手段となっている。
【００６１】
本実施形態では、部品には、親部品と、この親部品に従属する関係となっている子部品と、がある。
【００６２】
子部品属性候補情報マスタ２４は、親部品に対して選択された属性情報により決定される子部品の属性候補情報を記憶するためのマスタであり、言い換えると、子部品属性候補情報マスタ２４は、親部品の属性情報と、この親部品の属性情報に対して選択可能（組合せ可能）な子部品の属性情報と、を記憶するためのマスタである。
【００６３】
この子部品属性候補情報マスタ２４のデータ項目には、親部品が属する下位カテゴリの識別情報である親部品カテゴリＩＤ、親部品の識別情報である親部品ＩＤ、親部品の属性種別の名称である親部品属性種別名称、親部品の属性値の名称である親部品属性値名称、子部品の下位カテゴリの識別情報である子部品カテゴリＩＤ、子部品の識別情報である子部品ＩＤ、子部品の属性種別の名称である子部品属性種別名称、子部品の属性値の名称である子部品属性値名称、候補属性条件区分（具体的な説明は後述する）等がある。
【００６４】
このため、子部品属性候補情報マスタ２４は、親部品カテゴリＩＤ、親部品ＩＤ、親部品属性種別名称、親部品属性値名称、子部品カテゴリＩＤ、子部品ＩＤ、子部品属性種別名称、子部品属性値名称、候補属性条件区分等を、子部品ＩＤと関連付けて記憶する子部品属性候補情報記憶手段となっている。
【００６５】
本実施形態では、部品属性情報マスタ２３と、子部品属性候補情報マスタ２４と、で、住宅を構成する部品の仕様情報（商品情報）を、この部品の識別情報と関連付けて記憶する部品仕様情報記憶手段を構成するものとなっている。
【００６６】
部品シリーズ名情報マスタ２５は、シリーズものの部品のシリーズ名称等を記憶するためのマスタであり、この部品シリーズ名情報マスタ２５のデータ項目には、部品ＩＤ、シリーズ名称等がある。
【００６７】
このため、部品シリーズ名情報マスタ２５は、部品のシリーズ名称等を、部品ＩＤと関連付けて記憶する部品シリーズ名情報記憶手段となっている。
【００６８】
なお、本実施形態では、部品情報マスタ２２、部品属性情報マスタ２３、子部品属性候補情報マスタ２４、部品シリーズ名情報マスタ２５等の各情報は、本システムの担当者により入力されるのではなく、部品メーカー各社が保有するマスタ情報を取り込むことにより得られるものである。すなわち、部品メーカー各社のシステムのマスタ情報をＣＳＶ形式のテキストファイルで受け取り、このＣＳＶファイルを本システムで取り込めるようにレイアウト変換を実行した後、このレイアウト変換後のＣＳＶファイルを本システムの部品情報マスタ２２、部品属性情報マスタ２３、子部品属性候補情報マスタ２４、部品シリーズ名情報マスタ２５等に取り込む処理が実行される。
【００６９】
端末装置３は、キーボード、マウス等の入力手段と、ディスプレイ、プリンター等の出力手段を備えており、端末装置３は、サーバ１から送信されてくる顧客の住宅仕様情報を選択入力させるための住宅仕様情報選択入力画面、その他の画面の表示用データを受信し、これらの画面の表示用データは、端末装置３に備えられているＷｅｂブラウザ等のソフトウェアを介してディスプレイに出力されるものとなっている。また、サーバ１で作成され、このサーバ１から送信されてくる顧客の住宅仕様情報等が記載された各種帳票（後述する顧客の住宅を構成する部品のカタログであるマイカタログシート１４、仕上表１６を含む）が、プリンターに出力されるものとなっている。
【００７０】
住宅仕様情報選択入力画面は、部品カテゴリ情報マスタ２０に記憶された部品の最上位カテゴリ情報と上位カテゴリ情報の一覧を表示するとともにこの一覧から、これから住宅仕様情報の選択入力をする部品が属する上位カテゴリを選択させるための後述する上位カテゴリ表示・選択画面６０（図２参照）と、この上位カテゴリ表示・選択画面６０で選択され、部品カテゴリ情報マスタ２０に記憶された上位カテゴリに属する下位カテゴリ情報の一覧を表示するとともにこの一覧から、これから住宅仕様情報の選択入力をする部品が属する下位カテゴリを選択させるための後述する下位カテゴリ表示・選択画面７０（図４及び図５参照）と、この下位カテゴリ表示・選択画面７０で選択された下位カテゴリに対して選択可能な部品（実際の商品）の一覧を表示するとともにこの一覧から部品を選択させるための後述する部品表示・選択画面（言い換えると、商品表示・選択画面）９０（図４及び図６参照）と、この部品表示・選択画面９０で選択された部品の属性情報を選択入力させるための後述する部品属性情報選択入力画面１１０（図７参照）と、を含んで構成されている。
【００７１】
後述するように、本実施形態では、前記カタログを作成する前記部品を選択入力させるためのカタログ作成部品選択入力画面は、下位カテゴリ表示・選択画面７０で選択された下位カテゴリに対して選択可能な部品の一覧を表示するとともにこの一覧から部品を選択させるための前述した部品表示・選択画面９０に含まれるものとなっている。言い換えると、本実施形態では、部品表示・選択画面９０が、カタログ作成部品選択入力画面を兼ねるものとなっている。
【００７２】
なお、これらの画面には、住宅仕様の打合せを行う担当者側で確定すべき仕様情報を含む住宅仕様情報の選択入力が可能な担当者モード画面と、担当者側で確定すべき仕様情報を含まない住宅仕様情報の選択入力が可能な顧客モード画面と、がある。
【００７３】
上述した住宅仕様情報選択入力画面、その他の画面の表示用データは、サーバ１の処理手段３０（図１参照）により生成されるものである。
【００７４】
なお、住宅仕様情報選択入力画面を構成する上述した各画面の詳細な説明は後述する。
【００７５】
図１に示すように、サーバ１は、住宅仕様の確定に必要な処理を実行する処理手段３０を備えており、この処理手段３０は、住宅仕様情報選択入力受付処理手段３１と、部品カタログ作成処理手段５０と、部品カタログダウンロード処理手段５１と、仕様確定済部品一覧照会処理手段５２と、出力帳票選択受付処理手段５３と、仕上表雛形アップロード処理手段５４と、仕上表作成処理手段５５と、仕上表ダウンロード処理手段５６と、を含んで構成されるものとなっている。
【００７６】
そして、住宅仕様情報選択入力受付処理手段３１は、上位カテゴリ選択受付処理手段３２と、下位カテゴリ選択受付処理手段３３と、住宅仕様情報抽出処理手段３４と、部品情報抽出処理手段３５と、部品情報選択入力受付処理手段３６と、カタログ作成部品選択入力受付処理手段３７と、部品属性情報抽出処理手段３８と、部品属性情報選択入力受付処理手段３９と、住宅仕様情報登録処理手段４０と、を含んで構成されるものとなっている。
【００７７】
なお、サーバ１の処理手段３０は、サーバ１の記憶装置に記憶されたソフトウェアで構成されるものである。
【００７８】
住宅仕様情報選択入力受付処理手段３１は、図１に示すこの処理手段３１の枠内の上述した各処理手段３２〜４０を含んで構成されるものであり、住宅仕様情報選択入力画面を構成する各画面の表示用データを端末装置３へ送信するとともに、住宅仕様情報選択入力画面を構成する各画面で選択入力されて端末装置３からネットワーク２を介して送信されてくる顧客の住宅仕様情報等を受信する処理を実行する構成となっている。
【００７９】
上位カテゴリ選択受付処理手段３２は、上位カテゴリ表示・選択画面６０の表示用データを端末装置３へ送信するとともに、上位カテゴリ表示・選択画面６０で選択されて端末装置３からネットワーク２を介して送信されてくる上位カテゴリの識別情報（上位カテゴリＩＤ）を受信する処理を実行する構成となっている。なお、上位カテゴリ表示・選択画面６０の表示用データは、処理手段３０を構成する図示しない上位カテゴリ情報抽出処理手段が、部品カテゴリ情報マスタ２０のレコードうち、最上位カテゴリと上位カテゴリのレコードを抽出して作成する。
【００８０】
下位カテゴリ選択受付処理手段３３は、下位カテゴリ表示・選択画面７０の表示用データを端末装置３へ送信するとともに、下位カテゴリ表示・選択画面７０で選択されて端末装置３からネットワーク２を介して送信されてくる下位カテゴリの識別情報（部品カテゴリＩＤ）を受信する処理を実行する構成となっている。なお、下位カテゴリ表示・選択画面７０の表示用データは、処理手段３０を構成する図示しない下位カテゴリ情報抽出処理手段が、部品カテゴリ情報マスタ２０のレコードのうち、下位カテゴリのレコードを抽出して作成する。
【００８１】
住宅仕様情報抽出処理手段３４は、現在処理対象となっている顧客の登録済の住宅仕様情報を、住宅仕様情報テーブル１１から抽出する処理を実行する構成となっている。すなわち、住宅仕様情報抽出処理手段３４は、住宅仕様情報テーブル１１のレコードのうち、顧客ＩＤが現在処理対象となっている顧客の顧客ＩＤと一致し、かつ、プランＩＤが現在処理対象となっている顧客の住宅のプランＩＤと一致するレコードを抽出する処理を実行する構成となっている。
【００８２】
部品情報抽出処理手段３５は、下位カテゴリ選択受付処理手段３３により受け付けた下位カテゴリに対して選択可能な部品を、受信された下位カテゴリの識別情報（部品カテゴリＩＤ）をキーとして、部品情報マスタ２２から抽出する処理を実行する構成となっている。すなわち、部品情報抽出処理手段３５は、部品情報マスタ２２のレコードのうち、部部品カテゴリＩＤが下位カテゴリ選択受付処理手段３３により受け付けた部品カテゴリＩＤと一致するレコードを抽出する処理を実行する構成となっている。
【００８３】
部品情報選択入力受付処理手段３６は、部品情報抽出処理手段３５により抽出された部品を表示・選択させるための部品表示・選択画面９０の表示用データを端末装置３に送信するとともに、部品表示・選択画面９０で選択されて端末装置３からネットワーク２を介して送信されてくる部品の識別情報（部品ＩＤ）を受信する処理を実行する構成となっている。
【００８４】
また、カタログ作成部品選択入力受付処理手段３７は、前記カタログを作成する部品を選択入力させるためのカタログ作成部品選択入力画面の表示用データを端末装置３へ送信するとともに、前記カタログ作成部品選択入力画面で選択入力されて端末装置３からネットワーク２を介して送信されてくる前記部品の識別情報である部品ＩＤを受信する処理を実行するものとなっており、本実施形態では、図１にも示されているように、住宅仕様情報選択入力受付処理手段３１を構成する部品情報選択入力受付処理手段３６に含まれる構成となっている。
【００８５】
部品属性情報抽出処理手段３８は、部品情報選択入力受付処理手段３６により受け付けた部品に対して選択入力可能な属性情報を、受信された部品の識別情報（部品ＩＤ）をキーとして、部品属性情報マスタ２３から抽出する処理を実行する構成となっている。すなわち、部品属性情報抽出処理手段３８は、部品属性情報マスタ２３のレコードのうち、部品ＩＤが部品情報選択入力受付処理手段３６により受け付けた部品ＩＤと一致するレコードを抽出する処理を実行する構成となっている。
【００８６】
部品属性情報選択入力受付処理手段３９は、部品属性情報抽出処理手段３８により抽出された部品の属性情報を選択入力させるための部品属性情報選択入力画面１１０の表示用データを端末装置３に送信するとともに、部品属性情報選択入力画面１１０で選択入力されて端末装置３からネットワーク２を介して送信されてくる部品の属性情報を受信する処理を実行する構成となっている。
【００８７】
部品カタログ作成処理手段５０は、カタログ作成部品選択入力受付処理手段３７により受け付けた部品ＩＤと、部品属性情報マスタ２３と、子部品属性候補情報マスタ２４等に基づき（を参照して）、カタログ作成部品選択入力受付処理手段３７により受け付けた部品のカタログを作成する処理を実行する構成となっている。
【００８８】
部品カタログダウンロード処理手段５１は、部品カタログ作成処理手段５０により作成された前記カタログを端末装置３へダウンロードする処理を実行する構成となっている。
【００８９】
仕様確定済部品一覧照会処理手段５２は、部品属性情報選択入力画面１１０において属性情報の選択入力が確定した部品（確定を保留した部品を含む）についての属性情報の一覧を表示し、担当者モード画面と顧客モード画面とがある後述する仕様確定済部品一覧照会画面２１０（図２３参照）の表示用データを端末装置３へ送信する処理を実行する構成となっている。なお、端末装置３では、サーバ１から送信された仕様確定済部品一覧照会画面２１０の表示用データを受信し、この受信した仕様確定済部品一覧照会画面２１０の表示用データが、端末装置３のディスプレイに出力される。なお、仕様確定済部品一覧照会画面２１０の表示用データは、処理手段３０を構成する図示しない仕様確定済部品情報抽出処理手段が、住宅仕様情報テーブル１１のレコードを抽出（検索）して作成する。
【００９０】
出力帳票選択受付処理手段５３は、担当者モードの仕様確定済部品一覧照会画面２１０で表示される［帳票出力］ボタン２４０が端末装置３で押下されたとき、仕上表を含む各出力帳票を選択させるための後述する出力帳票選択メニューウィンドウ２４１（図２４参照）の表示用データを端末装置３に送信するとともに、出力帳票選択メニューウィンドウ２４１でされて端末装置３からネットワーク２を介して送信されてくる出力帳票の識別情報（帳票ＩＤ）を受信する処理を実行する構成となっている。
【００９１】
仕上表雛形アップロード処理手段５４は、端末装置３等にインストールされたソフトウェアで読み込まれ、カスタマイズされた仕上表の雛形をサーバ１にアップロードするものであり、アップロードする仕上表の雛形を端末装置３で選択入力させてこの端末装置３からネットワーク２を介してアップロードされてくる仕上表の雛形をサーバ１に保存する処理を実行する構成となっている。
【００９２】
仕上表作成処理手段５５は、出力帳票選択受付処理手段５３により受け付けた帳票ＩＤと、顧客情報テーブル１０と、住宅仕様情報テーブル１１と、サーバ１に保存された仕上表の雛形１５等に基づいて、現在処理対象となっている顧客の仕上表１６（スプレッドシート形式）を作成する処理を実行する構成となっている。
【００９３】
仕上表ダウンロード処理手段５６は、仕上表作成処理手段５５により作成された仕上表１６を端末装置３へダウンロードする処理を実行する構成となっている。
【００９４】
なお、図示されていないが、住宅仕様情報選択入力受付処理手段３１には、端末装置３へ送信する担当者モード画面の表示用データと、顧客モード画面の表示用データと、を端末装置３からの要求データ（本実施形態では、画面表示区分（０（顧客モード画面）、１（担当者モード画面）））に応じて切り換える処理を実行するモード画面切換処理手段が備えられている。すなわち、このモード画面切換処理手段は、端末装置３から送信されてきた要求データである画面表示区分が０の場合は、端末装置３へ送信する画面を顧客モード画面に切り換える処理を実行し、端末装置３から送信されてきた要求データである画面表示区分が１の場合は、端末装置３へ送信する画面を担当者モード画面に切り換える処理を実行する。なお、端末装置３の出力手段（ディスプレイ）に出力されるデフォルト画面（初期画面）は、顧客モード画面となっている。
【００９５】
また、図示されていないが、住宅仕様情報選択入力受付処理手段３１には、上位カテゴリ表示・選択画面６０に表示されているそれぞれの上位カテゴリ情報カード６５（図２及び図３参照）について、それぞれの上位カテゴリに属する下位カテゴリに対して選択された部品の属性情報の選択入力の進捗状況（仕様確定状況）に応じた色分け表示処理を実行する上位カテゴリ色分け表示処理手段が備えられている。すなわち、この上位カテゴリ色分け表示処理手段は、上位カテゴリに属する全部の下位カテゴリに対して部品の属性情報の選択入力が確定している場合と、上位カテゴリに属する一部の下位カテゴリに対して部品の属性情報の選択入力が確定している場合と、上位カテゴリに属する全部の下位カテゴリに対して部品の属性情報の選択入力が確定していない場合と、に応じた色分け表示処理を、上位カテゴリ表示・選択画面６０に表示されているそれぞれの上位カテゴリ情報カード６５に対して実行する構成となっている。
【００９６】
また、上位カテゴリ色分け表示処理手段は、顧客モード画面において、上位カテゴリに属する全部の下位カテゴリに対して部品の属性情報の選択入力が確定している場合であっても、担当者側で確定すべき部品の属性情報の選択入力が確定していない下位カテゴリが存在する場合には、担当者モード画面において、上位カテゴリに属する下位カテゴリのうち、担当者側で属性情報の選択入力を確定すべき下位カテゴリがまだ存在することを示す色分け表示処理を、上位カテゴリ情報カード６５に対して実行する構成となっている。
【００９７】
住宅仕様情報登録処理手段４０は、住宅仕様情報選択入力受付処理手段３１により受け付けた顧客の住宅仕様情報を、住宅仕様情報テーブル１１に記憶させる処理を実行する構成となっている。
【００９８】
すなわち、住宅仕様情報登録処理手段４０は、部品属性情報選択入力受付処理手段３９により受け付けた顧客の住宅を構成する部品の属性情報を、顧客ＩＤと、プランＩＤと、部品カテゴリＩＤと、パターンＩＤと、に関連付けて住宅仕様情報テーブル１１に記憶させる処理を実行する構成となっている。
【００９９】
また、住宅仕様情報登録処理手段４０は、図示しない住宅部品カテゴリパターン情報入力受付処理手段により受け付けたパターン名称を、顧客ＩＤと、プランＩＤと、部品カテゴリＩＤと、パターンＩＤと、に関連付けて住宅部品カテゴリパターン情報テーブル１２に記憶させる処理を実行する構成となっている。なお、現在処理対象となっている顧客の登録済のパターン情報を、住宅部品カテゴリパターン情報テーブル１２から抽出する処理は、住宅仕様情報抽出処理手段３４により実行される。
【０１００】
次に、本実施形態に係る住宅仕様確定支援システムで実行される各処理を図１〜図３３により説明する。なお、図１〜図３３のうち、図２〜図２０、図２３〜図３２に示す画面は、端末装置３のディスプレイに表示（出力）されるものであり、これらの画面の表示用データはサーバ１から端末装置３へ送信されるもの、あるいは、端末装置３に搭載されたオペレーティングシステムにより出力されるものである。
【０１０１】
本実施形態に係る住宅仕様確定支援システムの利用の開始は、端末装置３に表示される図示しないログイン画面から入力された利用者（顧客）のユーザＩＤ及びパスワードがサーバ１に送信され、このサーバ１よるユーザＩＤ及びパスワードの認証処理を経て行われる。なお、利用者のユーザＩＤ及びパスワード等の情報は、システム管理者によって図示しないユーザマスタに予め登録されている。
【０１０２】
サーバ１によるユーザＩＤ及びパスワードの認証がされると、端末装置３には、担当者との打合せが始まるまで間に、顧客に見せる図示されないインフォメーション画面（待受画面）が表示される。このインフォメーション画面には、例えば、ログインした顧客の住宅工事スケジュール情報（顧客情報テーブル１０の契約日、部材発注予定日、着工予定日、部材入荷予定日、引渡し予定日等）や、システムの利用方法等の情報が表示されるようになっている。
【０１０３】
このインフォメーション画面の最上部には、このインフォメーション画面や、顧客の住宅を構成する部品の属性情報を選択入力するための画面（複数の画面で構成される）や、属性情報の選択入力が確定した部品の一覧表示画面に切り替えるための３つタブ（後述する図２に示す「インフォメーション」、「フロー」、「選択部品一覧」）が配置されており、これら３つの画面のうち、表示させたい画面のタブをマウスやキーボード等の入力手段で押下することにより、選択したタブの画面に遷移するようになっている。
【０１０４】
図２には、部品の属性情報を選択入力するための各画面のうちの最初に表示される画面であって、部品の最上位カテゴリ及び上位カテゴリの一覧を表示するとともにこの一覧から仕様を確定する部品が属する上位カテゴリを選択させるための上位カテゴリ表示・選択画面６０（言い換えると、フロー表示・選択画面６０）（一部を省略して示す）が表示されている。
【０１０５】
この画面６０の最上部には、左から、上記インフォメーション画面を表示させるための「インフォメーション」タブ６１、この図２に表示されている画面６０を表示させるための「フロー」タブ６２、属性情報の選択入力が確定した部品の一覧表示画面を表示させるための「選択部品一覧」タブ６３の３個のタブが表示されている。これら３個のタブは、上述したインフォメーション画面や、属性情報の選択入力が確定した部品の一覧表示画面が表示されているときにも表示される。
【０１０６】
図２に示されているように、上位カテゴリ表示・選択画面６０は、住宅を構成する部品の最上位カテゴリの一覧と、この最上位カテゴリよりも下位のカテゴリである上位カテゴリ（最上位カテゴリと後述する下位カテゴリとの中間の階層のカテゴリ）の一覧を表示するものとなっている。すなわち、画面６０の上部には、５個の最上位カテゴリ名称表示欄６４が横方向に並んで配置されており、最も左側の最上位カテゴリ名称表示欄６４から順に「外部」、「内部」、「水廻り設備」、「電気、空調等」、「インテリア・エクステリア」の最上位カテゴリ名称が表示されている。また、それぞれの最上位カテゴリ名称表示欄６４の下には、それぞれの最上位カテゴリに属する複数の上位カテゴリ情報が表示された上位カテゴリ情報カード６５が縦方向に並んで配置されている。
【０１０７】
図３は、図２の上位カテゴリ表示・選択画面６０の部分拡大図であり、この画面６０のうち、最上位カテゴリ名称表示欄６４に表示されている最上位カテゴリ名称が「水廻り設備」となっている最上位カテゴリに属する複数の上位カテゴリ情報カード６５の部分拡大図である。
【０１０８】
図３に示すように、上位カテゴリ情報カード６５は、上位カテゴリのカテゴリ名称を表示するための上位カテゴリ名称表示欄６５Ａと、この上位カテゴリに属する下位カテゴリの部品の属性情報の選択入力の進捗状況情報を表示するための進捗状況表示欄６５Ｂとで構成されている。
【０１０９】
図３に示すように、縦方向に並んで配置されている複数の上位カテゴリ情報カード６５の上位カテゴリ名称表示欄６５Ａには、上から順に、最上位カテゴリ「水廻り設備」の上位カテゴリのカテゴリ名称である「キッチン」、「カップボード」、「バスユニット」、「洗面化粧台」、「トイレ」、「アクセサリー」、「給湯」、「水廻りパック」、「電化パック」等が表示されている。
【０１１０】
なお、最上位カテゴリ名称表示欄６４に表示されるカテゴリ名称と、上位カテゴリ情報カード６５の上位カテゴリ名称表示欄６５Ａに表示されるカテゴリ名称は、部品カテゴリ情報マスタ２０から参照して編集される。
【０１１１】
すなわち、最上位カテゴリ名称表示欄６４に表示されるカテゴリ名称は、部品カテゴリ情報マスタ２０のレコードのうち、最上位カテゴリＩＤがゼロ以外、かつ、上位カテゴリＩＤがゼロ、かつ、部品カテゴリＩＤがゼロである各レコードのカテゴリ名称が表示されるものとなっている。また、上位カテゴリ情報カード６５の上位カテゴリ名称表示欄６５Ａに表示されるカテゴリ名称は、部品カテゴリ情報マスタ２０のレコードのうち、最上位カテゴリＩＤがゼロ以外、かつ、上位カテゴリＩＤがゼロ以外、かつ、部品カテゴリＩＤがゼロである各レコードのカテゴリ名称が表示されるものとなっている。これらのレコードの抽出処理は、処理手段３０を構成する図示しないカテゴリ名称抽出処理手段により実行される。
【０１１２】
上位カテゴリ情報カード６５の進捗状況表示欄６５Ｂに表示される進捗状況情報（上位カテゴリ単位の部品の仕様打合せの進捗状況情報）は、住宅部品カテゴリ進捗情報テーブル１３のデータ項目のうちの進捗状況区分と完了日時とから編集されるものであり、この住宅部品カテゴリ進捗情報テーブル１３のレコードの取得は、顧客ＩＤ、プランＩＤ、上位カテゴリＩＤをキーとして、住宅部品カテゴリ進捗情報テーブル１３から該当レコードの抽出処理を実行するサーバ１の処理手段３０を構成する図示しない進捗状況抽出処理手段により行われる。
【０１１３】
それぞれの上位カテゴリ情報カード６５の進捗状況表示欄６５Ｂに表示される進捗状況情報は、取得した住宅部品カテゴリ進捗情報テーブル１３の進捗状況区分と完了日時とにより生成される。
【０１１４】
前述したように、進捗状況区分には、０（打合せ未着手）、１（打合せ中）、２（打合せ済（顧客側））、３（打合せ済（担当者側））があり、進捗状況区分が０である場合には、進捗状況表示欄６５Ｂには、文字列「未着手」が表示される（図３の「バスユニット」、「洗面化粧台」等の上位カテゴリ情報カード６５を参照）。
【０１１５】
また、進捗状況区分が１である場合には、進捗状況表示欄６５Ｂには、文字列「選択中」が表示される。また、進捗状況区分が２である場合には、進捗状況表示欄６５Ｂには、住宅部品カテゴリ進捗情報テーブル１３の完了日（下位カテゴリに属する部品のうち、顧客側で確定すべき部品の属性情報の選択入力が全て確定した日（言い換えると、最後に選択入力が確定した部品の属性情報がサーバ１に登録された日））と「打合せ済」を連結した文字列「XXXX年XX月XX日打合せ済」（「XXXX」は４桁の西暦年。以下同じ）が表示される。さらに、進捗状況区分が３である場合には、進捗状況表示欄６５Ｂには、住宅部品カテゴリ進捗情報テーブル１３の完了日（下位カテゴリに属する部品のうち、担当者側で確定すべき部品の属性情報の選択入力が全て確定した日（言い換えると、最後に選択入力が確定した部品の属性情報がサーバ１に登録された日））と「打合せ済」を連結した文字列「XXXX年XX月XX日打合せ済」が表示される。
【０１１６】
また、本実施形態では、上位カテゴリ情報カード６５の背景色は、住宅部品カテゴリ進捗情報テーブル１３の進捗状況区分の値に応じた色分けが行われるようになっている。なお、図２及び図３における背景色の着色は、便宜上、網掛け表示となっている。
【０１１７】
すなわち、進捗状況区分が０（打合せ未着手）である場合には、上位カテゴリ情報カード６５の背景色は白色（言い換えると、デフォルトの画面背景色のまま）であり、進捗状況区分が１（打合せ中）である場合には、上位カテゴリ情報カード６５の背景色は黄色に着色され、進捗状況区分が３（打合せ済（担当者側））である場合には、上位カテゴリ情報カード６５の背景色は緑色に着色される。なお、図２の上位カテゴリ表示・選択画面６０の右最上部の凡例表示欄６６には、上述した上位カテゴリ情報カード６５の背景色の凡例が表示されている。
【０１１８】
進捗状況区分が２である場合には、上位カテゴリ情報カード６５の背景色は、現在表示されている上位カテゴリ表示・選択画面６０が顧客モード画面となっているか担当者モード画面となっているかによって異なる。
【０１１９】
ここで、上位カテゴリ表示・選択画面６０には、前述したように、担当者モード画面と顧客モード画面とがあり、この上位カテゴリ表示・選択画面６０におけるモード画面の切り換えは、図２に示されている画面６０の右最下部に配置されている「お客様」（顧客モード）ボタン６７あるいは「担当者」ボタン６８を押下（マウスのクリックによるものでもよく、キーボードのキー操作によるものでもよい。以下、同じ。）することにより行われる。すなわち、「お客様」（顧客モード）ボタン６７あるいは「担当者」ボタン６８が押下されることにより、端末装置３からモード切換の要求データ（本実施形態では、画面表示区分（０（顧客モード画面）、１（担当者モード画面）））がサーバ１に送信され、サーバ１は、受信した要求データに応じて端末装置３に送信する顧客モード画面の表示用データと担当者モード画面の表示用データとを切り換える。なお、端末装置３に送信する表示データの切換処理は、前述したサーバ１の図示しないモード画面切換処理手段により実行される。
【０１２０】
現在表示されている上位カテゴリ表示・選択画面６０が顧客モード画面となっている場合には、住宅部品カテゴリ進捗情報テーブル１３の進捗状況区分が２（打合せ済（顧客側））である上位カテゴリの上位カテゴリ情報カード６５の背景色は緑色に着色される。しかし、現在表示されている上位カテゴリ表示・選択画面６０が担当者モード画面となっている場合には、住宅部品カテゴリ進捗情報テーブル１３の進捗状況区分が２（打合せ済（顧客側））となっている上位カテゴリの上位カテゴリ情報カード６５の背景色は黄色に着色される。この着色処理は、担当者モード画面においては、下位カテゴリに属する部品のうち、担当者側で属性情報の選択入力の確定をすべき部品がまだ存在することを担当者に知らしめるための処理である。
【０１２１】
一方、住宅部品カテゴリ進捗情報テーブル１３の進捗状況区分が３（打合せ済（担当者側））である上位カテゴリの上位カテゴリ情報カード６５の背景色は、前述したように、現在表示されている上位カテゴリ表示・選択画面６０が顧客モード画面となっているか否かにかかわらず（すなわち、顧客モード画面及び担当者モード画面において）、緑色に着色される。
【０１２２】
なお、住宅部品カテゴリ進捗情報テーブル１３の進捗状況区分に応じた上位カテゴリ情報カード６５の背景色に付す色は、上述した色に限定されるものではなく、任意である。
【０１２３】
なお、前述したように、部品カテゴリ情報マスタ２０のデータ項目には表示設定区分があり、この表示設定区分には、０（顧客に見せる）と１（担当者にのみ見せる）とがあり、表示設定区分に１が設定された上位カテゴリＩＤに対応する上位カテゴリ情報カード６５は、顧客モード画面では何も表示されず、担当者モード画面に切り換えることにより表示されるようになっている。
【０１２４】
このように、上位カテゴリ表示・選択画面６０には、担当者側で仕様を確定すべき上位カテゴリの選択が可能な担当者モード画面と、担当者側で仕様を確定すべき上位カテゴリを含まない上位カテゴリの選択が可能な顧客モード画面と、がある。言い換えると、上位カテゴリ表示・選択画面６０には、上位カテゴリのうち、担当者側で仕様を確定すべき上位カテゴリを除いた上位カテゴリの選択が可能な顧客モード画面と、全ての上位カテゴリの選択が可能な担当者モード画面と、がある。
【０１２５】
また、前述したように、部品カテゴリ情報マスタ２０のデータ項目には必須・任意設定区分があり、この必須・任意設定区分には、０（仕様の確定（部品の属性情報の選択入力）が任意である（必須ではない））と、１（仕様の確定（部品の属性情報の選択入力）が必須である）と、があり、必須・任意設定区分に１が設定された上位カテゴリＩＤの住宅部品カテゴリ進捗情報テーブル１３の進捗状況区分が０（打合せ未着手）である場合には、この上位カテゴリＩＤに対応する上位カテゴリ情報カード６５の背景色は赤色（デフォルトの画面背景色とは異なる色）に着色されるようにしてもよい。この着色処理は、仕様の確定が必須の上位カテゴリに属する下位カテゴリの部品の属性情報の選択入力が未着手の状態であることを担当者に知らしめるための処理である。
【０１２６】
なお、上述した色分け処理は、サーバ１の処理手段３０の図示しないカテゴリ色分け表示処理手段により実行される。すなわち、カテゴリ色分け表示処理手段により、上位カテゴリ表示・選択画面６０の表示用データが色分け処理された後、この色分け処理された表示用データは、上位カテゴリ選択受付処理手段３２によりサーバ１からネットワーク２を介して端末装置３に送信される。
【０１２７】
図２の上位カテゴリ表示・選択画面６０において、利用者が、これから属性情報の選択入力を行う部品が属する上位カテゴリに対応する上位カテゴリ情報カード６５を押下することにより、この押下された上位カテゴリ情報カード６５に対応する上位カテゴリの識別情報である上位カテゴリＩＤが、端末装置３からネットワーク２を介してサーバ１へ送信され、この送信された上位カテゴリＩＤがサーバ１で受信される。
【０１２８】
なお、サーバ１から上位カテゴリ表示・選択画面６０の表示用データが端末装置３に送信される処理から、上述したように、上位カテゴリ表示・選択画面６０において選択された上位カテゴリ情報カード６５の上位カテゴリＩＤがサーバ１で受信されるまでの処理は、図１に示すサーバ１の処理手段３０の上位カテゴリ選択受付処理手段３２により実行される。すなわち、サーバ１の処理手段３０の上位カテゴリ選択受付処理手段３２により、上位カテゴリ表示・選択画面６０の表示用データを端末装置３へ送信するとともに、上位カテゴリ表示・選択画面６０で選択されて端末装置３からネットワーク２を介して送信されてくる上位カテゴリの識別情報である上位カテゴリＩＤを受信する処理が実行される。
【０１２９】
この後、サーバ１では、上位カテゴリ選択受付処理手段３２により受け付けた上位カテゴリＩＤに属する下位カテゴリの情報を、上位カテゴリＩＤをキーとして、部品カテゴリ情報マスタ２０から抽出する処理が、前述した図示しない下位カテゴリ情報抽出処理手段により実行される。すなわち、部品カテゴリ情報マスタ２０のレコードのうち、上位カテゴリＩＤが上位カテゴリ選択受付処理手段３２により受け付けた上位カテゴリＩＤと一致するレコードが、下位カテゴリ情報抽出処理手段により抽出される。
【０１３０】
図４の上部には、下位カテゴリ情報抽出処理手段により抽出された下位カテゴリ情報の一覧を表示するとともにこの一覧から部品の属性情報を選択入力する下位カテゴリを選択させるための下位カテゴリ表示・選択画面７０が示されている。この下位カテゴリ表示・選択画面７０の表示用データは、サーバ１の処理手段３０の下位カテゴリ選択受付処理手段３３により端末装置３へ送信されるものとなっている。なお、この下位カテゴリ選択受付処理手段３３は、下位カテゴリ表示・選択画面７０で選択されて端末装置３からネットワーク２を介して送信されてくる下位カテゴリの識別情報である部品カテゴリＩＤを受信する処理も実行するものである。
【０１３１】
図５は、図４に示す下位カテゴリ表示・選択画面７０の拡大図（一部を省略）である。この図５に示されているように、下位カテゴリ表示・選択画面７０に表示されている下位カテゴリ情報は、図２及び図３の上位カテゴリ表示・選択画面６０において、最上位カテゴリ「水廻り設備」に属する上位カテゴリ情報カード６５のうち、「バスユニット」の上位カテゴリ情報カード６５が選択された場合における下位カテゴリ情報抽出処理手段により抽出された下位カテゴリ情報となっている。
【０１３２】
図５に示すように、上位カテゴリ「バスユニット」に属する下位カテゴリは複数あり、左側から「バスユニットシリーズ・グレード」、「本体セット」、「床」、「壁」等となっており、それぞれの下位カテゴリの情報が、横方向に並んで配置されている下位カテゴリ情報表示欄７３に表示される。なお、「バスユニット」の下位カテゴリには、上述した３つの他に「天井」、「浴槽セット」、「排水栓、「浴槽セットオプション」、「バスユニットオプション」等があり、これらの下位カテゴリは、下部のスクロールバーを操作することにより表示される。
【０１３３】
下位カテゴリ情報表示欄７３は、下位カテゴリのカテゴリ名称等が表示される下位カテゴリ名称表示欄７４と、この下位カテゴリに属する部品の仕様情報等が表示される部品仕様情報表示欄７５と、を含んで構成されている。
【０１３４】
なお、下位カテゴリ表示・選択画面７０の左最上部には、上位カテゴリ表示・選択画面６０で選択された上位カテゴリのカテゴリ名称が表示される上位カテゴリ名称表示欄７１と、横方向に並んで配置されている下位カテゴリのうち、現在処理対象となっている下位カテゴリのカテゴリ名称が表示される下位カテゴリ名称表示欄７２と、からなるパンくずリストが表示されている。
【０１３５】
部品仕様情報表示欄７５は、後述するように、図６等に示す部品表示・選択画面９０で選択された部品の画像が表示される部品画像表示欄７５Ａ（図１４参照）と、部品表示・選択画面９０で選択された部品の部品グループ名称が表示される部品グループ名称表示欄７５Ｂと、図７等に示す部品属性情報選択入力画面１１０で入力された部品の発注数量と単位名称が表示される発注数量・単位名称表示欄７５Ｃと、部品属性情報選択入力画面１１０で入力された部品の発注数量に発注単価を掛けた発注合計金額が表示される発注合計金額表示欄７５Ｄと、部品の下位カテゴリが配置される場所のパターン名称が表示されるカテゴリパターン名称表示欄７５Ｅと、カテゴリパターンを選択する（切り替える）ためのカテゴリパターン選択メニュー７６と、カテゴリパターンを編集するためのパターン編集画面１６０を表示させるための［編集］ボタン７７と、を含んで構成されている。
【０１３６】
また、下位カテゴリ名称表示欄７４の右側には、後述する図１４に示されているように、部品の属性情報の選択入力が確定したことを示す「確」のマークが表示される確定済表示欄７４Ａが配置されている。そして、サーバ１の住宅部品カテゴリ進捗情報テーブル１３の進捗状況区分が２（打合せ済（顧客側））又は３（打合せ済（担当者側））である場合には、確定済表示欄７４Ａには「確」が表示される。
【０１３７】
図５では、表示されている下位カテゴリ（「バスユニットシリーズ・グレード」、「本体セット」、「床」等）の全部について、部品表示・選択画面９０での部品の選択、部品属性情報選択入力画面１１０での部品の属性情報の選択入力が行われていない状態となっており、このため、それぞれの部品仕様情報表示欄７５には、「部品を選択する」の文字列が表示されている。
【０１３８】
なお、下位カテゴリ表示・選択画面７０にも、顧客モード画面と担当者モード画面とがあり、部品カテゴリ情報マスタ２０の表示設定区分に１（担当者にのみ見せる）が設定されている下位カテゴリの情報は、下位カテゴリ表示・選択画面７０の顧客モード画面では何も表示されない。
【０１３９】
なお、顧客モード画面と担当者モード画面の切換は、図４及び後述する図６の画面右最下部に配置されている「お客様」ボタン９６あるいは「担当者」ボタン９７を押下することにより行われる。
【０１４０】
図５に示す下位カテゴリ表示・選択画面７０において、部品の選択をする（処理対象とする）下位カテゴリの部品仕様情報表示欄７５を押下すると、図４に示すように、下位カテゴリ表示・選択画面７０の下には、この下位カテゴリ表示・選択画面７０で選択された下位カテゴリに対して選択可能な部品の一覧（商品候補の一覧）を表示するとともにこの一覧から部品を選択させるための部品表示・選択画面９０が表示される。
【０１４１】
図６には、この部品表示・選択画面９０の部分拡大図が表示されている。この図６に示されているように、部品表示・選択画面９０には、下位カテゴリ表示・選択画面７０で選択された下位カテゴリに対して選択可能な部品の一覧（商品候補の一覧）が、カード形式で表示されるものである。横方向及び縦方向（前後方向）に複数個並んで表示されているそれぞれの部品情報カード９１には、部品情報マスタ２２の部品名称、メーカー名称、部品画像が、それぞれ、部品グループ名称表示欄９１Ａ、メーカー名称表示欄６１Ｂ、部品画像表示欄９１Ｃに表示される。ここで、メーカー名称は、部品情報マスタ２２のメーカーＩＤを参照キーとして図示しないメーカーマスタから取得される。
【０１４２】
なお、サーバ１の処理手段３０の部品情報抽出処理手段３５により、下位カテゴリ選択受付処理手段３３により受け付けた下位カテゴリに対して選択可能な部品を、受信された下位カテゴリの識別情報である部品カテゴリＩＤをキーとして、部品情報マスタ２２から抽出する処理が実行され、この部品情報抽出処理手段３５により抽出された部品のレコード情報が部品表示・選択画面９０に表示されるようになっている。
【０１４３】
なお、部品表示・選択画面９０の表示用データは、サーバ１の処理手段３０の部品情報選択入力受付処理手段３６により端末装置３へ送信されるものとなっている。なお、この部品情報選択入力受付処理手段３６は、部品表示・選択画面９０で選択されて端末装置３からネットワーク２を介して送信されてくる部品の識別情報である部品ＩＤを受信する処理も実行するものである。
【０１４４】
なお、部品情報カード９１の部品画像表示欄９１Ｃの右上には、部品画像拡大表示ボタン９１Ｄが配置されており、この部品画像拡大表示ボタン９１Ｄが押下されることにより、部品画像表示欄９１Ｃに表示されている部品画像の拡大画像が別ウィンドウに表示されるようになっている。
【０１４５】
部品表示・選択画面９０の下部には、部品情報カード９１群を前後にスクロール表示させるための部品情報カード群スクロール表示ボタン９２が配置されている。この部品情報カード群スクロール表示ボタン９２は、現在表示されている部品情報カード９１群の後方の部品情報カード９１群をスクロール表示させるための後方スクロール表示ボタン９２Ａと、現在表示されている部品情報カード９１群の前方の部品情報カード９１群をスクロール表させるための前方スクロール表示ボタン９２Ｂと、からなる。すなわち、後方スクロール表示ボタン９２Ａが押下されると、現在表示されている部品情報カード９１群よりも画面奥側（すぐ後ろ）に存在する部品情報カード９１群が表示される。一方、前方スクロール表示ボタン９２Ｂが押下されると、現在表示されている部品情報カード９１群よりも画面手前側（すぐ前）に存在する部品情報カード９１群が表示される。
【０１４６】
また、図６に示されているように、部品表示・選択画面９０の左最下部には、現在表示されている部品情報カード９１群を絞り込むための［絞込み項目を開く］ボタン９３が配置されており、この［絞込み項目を開く］ボタン９３が押下されることにより、図示しない絞込検索条件選択入力画面（ウィンドウ）が表示される。図示されていないが、この絞込検索条件選択入力画面では、部品の価格（最低価格、最高価格）、メーカー名称の指定、部品の属性種別及び属性値（例えば、位置（左／右／中央）、色、サイズ（最小寸法、最大寸法）等）を選択入力し、この絞込検索条件選択入力画面の図示しない［絞込む］ボタンを押下することにより、現在表示されている部品情報カード９１群の件数を絞り込むことができる。なお、一度件数を絞り込んだ後、絞り込む前の部品情報カード９１群の全件を表示させるためには、絞込検索条件選択入力画面の図示しない［条件をクリアする］ボタンを押下して絞込検索条件をクリアした後、［絞込む］ボタンを押下する。
【０１４７】
また、［絞込み項目を開く］ボタン９３の右側には、確定保留データ絞込メニュー９４が配置されており、この絞込メニュー９４を押下すると、「全件表示」、「確定のみ表示」、「保留のみ表示」、「確定、保留のみ表示」４種類のメニュー項目で構成された選択メニューが表示される。「確定のみ表示」が選択されると、部品属性情報選択入力画面１１０において属性情報の選択入力が確定された部品情報カード９１のみが表示され、「保留のみ表示」が選択されると、部品属性情報選択入力画面１１０において属性情報の選択入力が保留された部品情報カード９１のみが表示され、「確定、保留のみ表示」が選択されると、部品属性情報選択入力画面１１０において属性情報の選択入力が確定又は保留された部品情報カード９１のみが表示される。
【０１４８】
また、確定保留データ絞込メニュー９４の右側には、現在表示されている部品情報カード９１群の件数が表示される該当データ件数表示欄９５が配置されている。
【０１４９】
なお、部品表示・選択画面９０にも、顧客モード画面と担当者モード画面があり、この部品表示・選択画面９０のモードは、この部品表示・選択画面９０の前の処理画面である下位カテゴリ表示・選択画面７０の画面モード（前述した画面表示区分）を引き継ぐものとなっている。
【０１５０】
部品表示・選択画面９０に表示されている部品情報カード９１群のうちの１個の部品情報カード９１（図６の例では、１番左側の部品情報カード９１）が押下されると、図７に示すように、部品表示・選択画面９０で選択された部品の属性情報を選択入力させるための部品属性情報選択入力画面１１０が表示される。この部品属性情報選択入力画面１１０にも、顧客モード画面と担当者モード画面があり、部品属性情報選択入力画面１１０のモードは、この部品属性情報選択入力画面１１０の前の処理画面である部品表示・選択画面９０のモードを引き継ぐものとなっている。なお、この部品属性情報選択入力画面１１０における各処理は、サーバ１の部品属性情報選択入力受付処理手段３９により実行される。また、この部品属性情報選択入力画面１１０で選択入力され、住宅仕様情報テーブル１１に登録されている部品の属性情報は、サーバ１の住宅仕様情報抽出処理手段３４により抽出された後、部品属性情報選択入力受付処理手段３９により、部品属性情報選択入力画面１１０に表示される。
【０１５１】
図７に示されているように、部品属性情報選択入力画面１１０の上部には、部品の名称が表示される品名表示欄１１６が配置されており、この品名表示欄１１６に部品表示・選択画面９０で選択された部品の名称が表示される。また、品名表示欄１１６の下には、部品の品番（商品番号）が表示される品番表示欄１１７が配置されており、この品番表示欄１１７の右側には、発注数量を入力するための発注数量入力欄１１３が配置されている。
【０１５２】
そして、品番表示欄１１７の下には、部品表示・選択画面９０で選択された部品に対して選択することができる属性情報の一覧が表示される。すなわち、品番表示欄１１７の下には、属性種別の名称が表示される属性種別名称表示欄１１１が配置され、この属性種別名称表示欄１１１の下には、この属性種別に対して設定可能な属性値を文字情報化してカード化したもの（属性値カード）が表示される属性値表示欄１１２が横方向に並んで配置される。これらの属性種別名称表示欄１１１と属性値表示欄１１２は、部品表示・選択画面９０で選択された部品に対して選択することができる属性種別の数だけ、縦方向（上下方向）に繰り返し配置される。
【０１５３】
図７に示されている例では、「バスユニットシリーズ・グレード」の属性種別の名称として「シリーズ」、「坪数」がある。そして、属性種別「シリーズ」で選択可能な属性値については、図６の部品表示・選択画面９０で部品情報カード９１を選択したときに「ＡシリーズＢタイプＣスタイル＜ＸＸＸＸＸ水栓仕様＞」と一意に決定され、属性値表示欄１１２には、この「ＡシリーズＢタイプＣスタイル＜ＸＸＸＸＸ水栓仕様＞」のカードのみが表示される。一方、属性種別「坪数」で選択可能な属性値として、「１．０坪」、「１．２５坪」の２種類があり、２個の属性値表示欄１１２には、左から「１．０坪」の属性値カード、「１．２５坪」の属性値カードが表示される。
【０１５４】
なお、属性値表示欄１１２に表示されている各属性値を選択するためには、この属性値表示欄１１２に表示されている属性値カードを押下する。
【０１５５】
なお、これらの属性情報は、サーバ１の部品属性情報抽出処理手段３８により部品属性情報マスタ２３から抽出される。すなわち、部品属性情報マスタ２３のレコードのうち、部品ＩＤが部品情報選択入力受付処理手段３６により受け付けた部品ＩＤと一致するレコードが、部品属性情報抽出処理手段３８により抽出され、抽出されたレコードの属性情報が部品属性情報選択入力画面１１０に表示される。
【０１５６】
品名表示欄１１６の上部には、この部品属性情報選択入力画面１１０に表示されている部品の各属性種別で選択可能な属性値の組合せ件数が表示される属性値組合せ件数表示欄１１４が配置されておいる。すなわち、属性値組合せ件数表示欄１１４には、部品の属性のバリエーションの数が表示される。
【０１５７】
図７に示されている例では、「シリーズ」の属性値が１パターン、「坪数」の属性値が２パターンとなっており、属性値組合せ件数表示欄１１４には、１×２の合計２件が表示される。なお、この属性値組合せ件数表示欄１１４に表示される組合せ件数は、必ずしも各属性種別の属性値のパターン数を乗算した数とは限らない。すなわち、ある属性種別の属性値が決定されることにより、他の属性種別の属性値で選択可能なパターンが制限される場合がある。
【０１５８】
なお、属性値の選択は、属性値表示欄１１２に表示されている属性値カードを押下することにより行われる。
【０１５９】
また、部品属性情報選択入力画面１１０の左側には、上から、部品のグループ名称が表示される部品グループ名称表示欄１１９、部品の名称が表示される品名表示欄１２０、部品の品番が表示される品番表示欄１２１、部品画像が表示される部品画像表示欄１２２、この部品画像表示欄１２２に表示されている部品画像の拡大画像を別ウィンドウに表示させるための部品画像拡大表示ボタン１２３、サーバ１に保存されている部品のカタログ情報を表示するための［商品詳細１］ボタン１２４、部品のメーカー名称が表示されるメーカー名称表示欄１２５、部品についての説明文が表示される商品説明文表示欄１２６等が
なお、図７では、部品の属性種別の属性値が選択されていないため、品番表示欄１１７、品番表示欄１２１には、何も表示されない。
【０１６０】
図８は、図７で示されている部品属性情報選択入力画面１１０において、属性種別「坪数」の属性値として「１．２５坪」が選択されたときを示す図である。
【０１６１】
この図８に示すように、「１．２５坪」が表示された属性値カードの背景色は、属性種別「シリーズ」の「ＡシリーズＢタイプＣスタイル＜ＸＸＸＸＸ水栓仕様＞」が表示された属性値カードと同様に、青色に着色される（図８では、便宜上網掛け（ハッチング）表示となっている。）。
【０１６２】
このように、属性種別「坪数」の属性値が選択されることにより、属性値組合せ件数表示欄１１４に表示される件数は、図７に示す２件から１件となる。
【０１６３】
なお、属性値の選択を解除するためには、部品属性情報選択入力画面１１０の右上に配置されている［絞込みをクリア］ボタン１１５を押下する。この［絞込みをクリア］ボタン１１５が押下されると、選択されていた属性値カードの背景色は、青色から未選択の状態の色である白色に変更される。
【０１６４】
図７及び図８に示すように、部品属性情報選択入力画面１１０の右下には、これらの部品の属性情報を保留した状態（住宅仕様情報テーブル１１の確定保留区分に２（保留）を移送）でサーバ１の住宅仕様情報テーブル１１に保存するための［保留する］ボタン１１８が配置されているが、属性値が選択されることにより、この［保留する］ボタン１１８の左側には、これらの部品の属性情報を確定した状態（住宅仕様情報テーブル１１の確定保留区分に１（確定）を移送）でサーバ１の住宅仕様情報テーブル１１に記憶するための［確定する］ボタン１３２が配置される。
【０１６５】
これらの［確定する］ボタン１３２又は［保留する］ボタン１１８が押下されると、部品属性情報選択入力画面１１０で選択入力された部品の属性情報が、サーバ１の住宅仕様情報テーブル１１へ住宅仕様情報登録処理手段４０により記憶され、この後、図９に示す下位カテゴリ表示・選択画面７０に戻る。
【０１６６】
図９に示されているように、下位カテゴリ表示・選択画面７０の３個の下位カテゴリ情報表示欄７３のそれぞれに表示されている下位カテゴリは、図５の表示状態と比較して、左横方向へ１個分スクロールしている。すなわち、図５では、１番左側から「バスユニットシリーズ・グレード」、「本体セット」、「床」の順で表示されるが、図９では、１番左側から「本体セット」、「床」、「壁」の順となる。
【０１６７】
なお、この下位カテゴリ表示・選択画面７０の右側に配置されている「バスユニットの選択を完了する」ボタン７９を押下することにより、この上位カテゴリ「バスユニット」に属する下位カテゴリ全部に対しての部品（商品）の選択、選択された部品（商品）についての属性情報の選択入力が完了した扱いの処理が実行された後、図２に示す上位カテゴリ表示・選択画面６０が表示される。すなわち、上位カテゴリ「バスユニット」に属する下位カテゴリのうち、部品の選択、選択された部品についての属性情報の選択入力が完了していない下位カテゴリが存在しても、上位カテゴリ「バスユニット」として、部品の選択、選択された部品についての属性情報の選択入力は完了した扱いの処理が実行される。このため、図２に示す上位カテゴリ表示・選択画面６０の「バスユニット」の上位カテゴリ情報カード６５の進捗状況表示欄６５Ｂには、サーバ１のシステム日付と「打合せ済」を連結した文字列「XXXX年XX月XX日打合せ済」が表示される。
【０１６８】
一方、下位カテゴリ表示・選択画面７０の右側に配置されている「フロー画面に戻る」ボタン７８を押下した場合には、「バスユニットの選択を完了する」ボタン７９を押下したときに行われる処理は行われず、そのまま、図２に示す上位カテゴリ表示・選択画面６０へ戻る。
【０１６９】
図１０は、図９で示されている３個の下位カテゴリ情報表示欄７３を、スクロールバーで右横方向へ１個分スクロールさせた後、１番左側の下位カテゴリ情報表示欄７３を押下したときの下位カテゴリ表示・選択画面７０及び部品表示・選択画面９０を示す図である。すなわち、図１０は、図９の表示状態から、図５と同様の表示状態にしたときを示す図である。
【０１７０】
この図１０に示されているように、１番左側の下位カテゴリ情報表示欄７３を構成する部品仕様情報表示欄７５の部品画像表示欄７５Ａには、図６に示す部品表示・選択画面９０で選択された部品の画像が表示され、部品グループ名称表示欄７５Ｂには、図６に示す部品表示・選択画面９０で選択された部品の部品グループ名称が表示され、発注数量・単位名称表示欄７５Ｃには、図７及び図９に示す部品属性情報選択入力画面１１０で入力された部品の発注数量と単位名称が表示される。
【０１７１】
また、図１０に示されているように、部品表示・選択画面９０には、図６に示す部品表示・選択画面９０で選択された１個の部品情報カード９１のみが表示され、この部品情報カード９１の部品画像表示欄９１Ｃの下には、カテゴリパターンのパターン名称が表示されるカテゴリパターン名称表示欄９９Ａと、部品属性情報選択入力画面１１０で入力された発注数量及び単位名称が表示される発注数量・単位名称表示欄９９Ｂと、この部品情報カード９１に表示されている部品の属性情報の詳細を表示するための「詳細」ボタン１００と、が配置、表示される。
【０１７２】
すなわち、カテゴリパターン名称表示欄９９Ａには、下位カテゴリ表示・選択画面７０のカテゴリパターン選択メニュー７６に表示されている現在選択中のパターン名称（図１０の例では「Ｎｏ．１」）が表示され、発注数量・単位名称表示欄９９Ｂには、部品属性情報選択入力画面１１０で入力された発注数量（図１０の例では「１」）と、この発注数量の単位名称（図１０の例では「セット」）が表示される。また、「詳細」ボタン１００が押下されると、この部品情報カード９１に表示されている部品の詳細情報が表示された図７に示す部品属性情報選択入力画面１１０が表示される。
【０１７３】
次に、図９において、１番左側の下位カテゴリ情報表示欄７３に表示されている下位カテゴリである「本体セット」について、部品表示・選択画面９０での部品の選択、部品属性情報選択入力画面１１０での部品の属性情報の選択入力を行う場合について説明する。
【０１７４】
下位カテゴリである「本体セット」は、先に部品の選択、部品の属性情報の選択入力を行った下位カテゴリ「バスユニットシリーズ・グレード」に従属するものとなっているため、図９の部品表示・選択画面９０には、１個の部品情報カード９１（図７の部品属性情報選択入力画面１１０において選択した属性情報（属性種別「シリーズ」の属性値が「ＡシリーズＢタイプＣスタイル＜ＸＸＸＸＸ水栓仕様＞」、属性種別「坪数」の属性値が「１．２５坪」）に対応する「本体セット」）のみが表示される。
【０１７５】
なお、図９に示すように、部品情報カード９１のメーカー名称表示欄９１Ｂの下には、発注合計金額表示欄９９Ｃが配置されており、この発注合計金額表示欄９９Ｃには、部品属性情報選択入力画面１１０で選択入力する属性種別の属性値の組合せにより算出される部品の発注単価の最低額（図９の例では「７６５，４４０円」）と最高額（図９の例では「８７５，１６０円」）が表示される。
【０１７６】
この図９に１個表示されている部品情報カード９１を押下すると、図７と同様に、図１１に示す部品属性情報選択入力画面１１０が表示される。この図１１に示されている部品属性情報選択入力画面１１０は、図７と同様に顧客モードであって、全ての属性種別の属性値の選択が完了したときを示すものである。
【０１７７】
図１１に示すように、発注数量入力欄１１３の上には、発注単価が表示される発注単価表示欄１２８が配置され、また、画面１１０の最下部には、発注合計金額が表示される発注合計金額表示欄１３０が配置されている。この発注合計金額表示欄１３０の右側には、［金額を更新］ボタン１３１が配置されており、このボタン１３１を押下することにより、発注合計金額表示欄１３０に再計算された発注合計金額が再表示される。また、画面１１０の左側の品番表示欄１２１の下には、部材単価（発注単価）が表示される部材（発注）単価表示欄１３３が配置されている。
【０１７８】
前述したように、図１１は、顧客モードの部品属性情報選択入力画面１１０であり、画面に表示されている全ての属性種別の属性値が選択されているが、担当者側で選択すべき属性種別の属性値の選択がなされていないため、品名、品番、発注単価は、確定されていない状態となっている。このため、画面１１０の上部の品名表示欄１１６、品番表示欄１１７及び発注単価表示欄１２８、画面１１０の左側の品名表示欄１２０、品番表示欄１２１及び部材単価表示欄１３３には、何も表示されない。
【０１７９】
なお、属性値に画像情報が含まれている場合には、属性値表示欄１１２の欄外下部には、属性値画像拡大表示ボタン１２９が配置されており、この属性値画像拡大表示ボタン１２９が押下されることにより、属性値表示欄１１２に表示されている属性値画像の拡大画像が別ウィンドウに表示されるようになっている。
【０１８０】
また、画面１１０の左側の下部のメーカー名称表示欄１２５の下には、確定属性情報表示欄１２７が配置されており、この確定属性情報表示欄１２７に属性種別名称と選択された属性値名称が表示されている。
【０１８１】
図１２には、図１１で示された部品属性情報選択入力画面１１０において、各属性種別に対する属性値を選択し、［確定する］ボタン１３２又は［保留する］ボタン１１８が押下された後の下位カテゴリ表示・選択画面７０と部品表示・選択画面９０が示されている。
【０１８２】
この図１２に示されているように、「本体セット」の下位カテゴリ情報表示欄７３の部品仕様情報表示欄７５には、部品画像表示欄７５Ａ、部品グループ名称表示欄７５Ｂ、発注数量・単位名称表示欄７５Ｃ及び発注合計金額表示欄７５Ｄが配置されている。そして、部品画像表示欄７５Ａには、図９の部品表示・選択画面９０の部品情報カード９１の部品画像表示欄９１Ｃに表示されている部品画像のサムネイルが表示され、部品グループ名称表示欄７５Ｂには、図９の部品表示・選択画面９０の部品情報カード９１の部品グループ名称表示欄９１Ａに表示されている部品グループ名称が表示される。また発注数量・単位名称表示欄７５Ｃには、図１１に示す部品属性情報選択入力画面１１０の発注数量入力欄１１３で入力された発注数量と単位名称が表示され、発注合計金額表示欄７５Ｄには、図１１に示す部品属性情報選択入力画面１１０の発注数量入力欄１１３で入力された発注数量に、発注単価表示欄１２８に表示された発注単価を掛けた発注合計金額が表示される。また、部品仕様情報表示欄７５の左上部には、カテゴリパターン名称表示欄７５Ｅが配置されており、このカテゴリパターン名称表示欄７５Ｅには、下位カテゴリ「バスユニットシリーズ・グレード」の部品仕様情報表示欄７５のカテゴリパターン選択メニュー７６で選択したカテゴリパターンのパターン名称が表示される。
【０１８３】
なお、部品仕様情報表示欄７５の右上部には、［クリア］ボタン８０が配置されており、この［クリア］ボタン８０を押下することにより、部品属性情報選択入力画面１１０で選択された属性情報がクリアされる。
【０１８４】
また、図１２に示されているように、部品表示・選択画面９０の部品情報カード９１の下部には、発注合計金額表示欄９９Ｃが配置されており、この発注合計金額表示欄９９Ｃには、下位カテゴリ表示・選択画面７０の下位カテゴリ情報表示欄７３の部品仕様情報表示欄７５の発注合計金額表示欄７５Ｄと同様に、図１１に示す部品属性情報選択入力画面１１０の発注数量入力欄１１３で入力された発注数量に、発注単価表示欄１２８に表示された発注単価を掛けた発注合計金額が表示される。
【０１８５】
この図１２に示されている下位カテゴリ表示・選択画面７０及び部品表示・選択画面９０は、顧客モード画面であり、図６に示すように、部品表示・選択画面９０の右下部に配置されている［担当者］ボタン９７を押下すると、画面７０，９０は担当者モード画面に切り替わる。
【０１８６】
図１３は、図１２において、担当者モード画面に切り替えた後、部品表示・選択画面９０の部品情報カード９１の下部に配置されている「詳細」ボタン１００を押下したときに表示される部品属性情報選択入力画面１１０を示す図である。
【０１８７】
この図１３に示されている担当者モードの部品属性情報選択入力画面１１０では、図１１に示す顧客モードの部品属性情報選択入力画面１１０に表示された属性情報に加えて、担当者側で仕様を確定すべき属性情報が表示されている。すなわち、この図１３の例では、図１１では表示されなかった属性種別である「床サイズ」、「扉の向き」等が表示されており、担当者は、これらの属性種別について選択可能な属性値を選択することになる。
【０１８８】
そして、図１３は、上述した「床サイズ」、「扉の向き」等に対する属性値が担当者により選択されたときを示すものであり、このため、上位カテゴリ「バスユニット」の下位カテゴリ「本体セット」の部品の仕様情報が確定したことになる。このことは、属性値組合せ件数表示欄１１４に表示されている件数が１となっていることからも分かる。
【０１８９】
これにより、図１３に示されているように、画面１１０の上部の品名表示欄１１６には、確定した品名である「浴ＡＢＣ本体般Ｗ１．２５ＢｅＬＣ開白」が表示され、品番表示欄１１７には、確定した品番である「ＳＹ１−１２３４５」が表示され、発注単価表示欄１２８には、確定した発注単価「７８６，５７０円」が表示される。また、画面１１０の左側の品名表示欄１２０にも、確定した品名「浴ＡＢＣ本体般Ｗ１．２５ＢｅＬＣ開白」が表示され、品番表示欄１２１にも、確定した品番「ＳＹ１−１２３４５」が表示され、部材単価表示欄１３３にも、確定した発注単価「７８６，５７０円」が表示される。
【０１９０】
図１４は、図１３で示された部品属性情報選択入力画面１１０において、全ての属性種別に対する属性値を選択し、［確定する］ボタン１３２又は［保留する］ボタン１１８が押下された後の下位カテゴリ表示・選択画面７０と部品表示・選択画面９０が示されている。
【０１９１】
図１４に示されているように、下位カテゴリ表示・選択画面７０の「本体セット」の下位カテゴリ情報表示欄７３の部品仕様情報表示欄７５の部品グループ名称表示欄７５Ｂには、確定した品名「浴ＡＢＣ本体般Ｗ１．２５ＢｅＬＣ開白」が表示され、発注合計金額表示欄７５Ｄには、確定した発注合計金額「７９９，２５０円」が表示される。また、部品表示・選択画面９０の部品情報カード９１の発注単価表示欄９１Ｅには、確定した発注単価「７８６，５７０円」が表示され、部品情報カード９１の下部の発注合計金額表示欄９９Ｃには、確定した発注合計金額「７９９，２５０円」が表示される。
【０１９２】
前述した図６に示すように、部品表示・選択画面９０に表示されている部品情報カード９１には、この部品情報カード９１に表示されている部品のカタログ（本実施形態では、以下「マイカタログシート」という）を出力するためのアイコン形式のマイカタログシー出力ボタン１０１が配置されている。
【０１９３】
図１５には、このマイカタログシート出力ボタン１０１が押下されたときに、端末装置３に表示されるマイカタログシート出力処理確認ウィンドウ１９０が示されている。なお、マイカタログシート出力ボタン１０１の押下以降の処理は、サーバ１の部品カタログ作成処理手段５０により実行される。
【０１９４】
このマイカタログシート出力処理確認ウィンドウ１９０において、［はい］ボタン１９０Ａが押下されると、サーバ１の部品カタログ作成処理手段５０によるマイカタログシート作成処理の実行が開始される。一方、［いいえ］ボタン１９０Ｂが押下されると、処理が中止され、図６の部品表示・選択画面９０へ戻る。
【０１９５】
なお、部品カタログ作成処理手段５０は、図６の部品表示・選択画面９０に表示されている部品情報カード９１群のうち、マイカタログシート出力ボタン１０１が押下された部品情報カード９１の部品と、この部品に関連する部品についてのカタログを作成する処理を実行するものとなっており、作成される図１に示すマイカタログシート１４は、市販又は無料配布の表計算ソフトウェアで読み込み可能なスプレッドシート形式のデータとなっている。
【０１９６】
なお、部品カタログ作成処理手段５０は、サーバ１の顧客情報テーブル１０、住宅仕様情報テーブル１１、部品カテゴリ情報マスタ２０、部品カテゴリパターン情報マスタ２１、部品情報マスタ２２、部品属性情報マスタ２３、子部品属性候補情報マスタ２４、部品シリーズ名情報マスタ２５等を参照して、マイカタログシートを作成する処理を実行する。
【０１９７】
サーバ１の部品カタログ作成処理手段５０によるマイカタログシートの作成処理が終了すると、サーバ１の部品カタログダウンロード処理手段５１による処理の実行が開始され、図１６に示すマイカタログシートダウンロード処理確認ウィンドウ１９１が表示される。
【０１９８】
このマイカタログシートダウンロード処理確認ウィンドウ１９１において、［保存（Ｓ）］ボタン１９１Ａが押下されると、図１７に示すマイカタログシート保存先指定ウィンドウ１９２が表示され、［キャンセル］ボタン１９１Ｂが押下されると、処理が中止され、図６の部品表示・選択画面９０へ戻る。
【０１９９】
図１７に示されているように、マイカタログシート保存先指定ウィンドウ１９２のマイカタログシートファイル名入力欄１９２Ｃに表示されているように、マイカタログシートのデフォルトのファイル名は、契約Ｎｏと、文字列「＿」と、部品名（１０文字以内）と、文字列「＿」と、サーバ１のシステム日付と、を連結した文字列となる。そして、このマイカタログシートファイル名入力欄１９２Ｃにおいて、作成されたマイカタログシートの保存先のドライブ名、フォルダ名、ファイル名の変更ができるようになっている。
【０２００】
このマイカタログシート保存先指定ウィンドウ１９２において、保存先のドライブ名、フォルダ名の指定、ファイル名の変更が終了した後、［保存（Ｓ）］ボタン１９２Ａが押下されると、指定したドライブ、フォルダに、指定したファイル名で、スプレッドシート形式のマイカタログシートが端末装置３の記憶装置に保存される。なお、［キャンセル］ボタン１９２Ｂが押下されると、処理が中止され、図６の部品表示・選択画面９０へ戻る。
【０２０１】
図１８は、端末装置３にインストールされた市販の表計算ソフトウェアにより読み込まれ、端末装置３のディスプレイに表示されたマイカタログシート２５０の一部を示す図であり、図１９は、このマイカタログシート２５０の続きを示す図である。
【０２０２】
このマイカタログシート２５０は、図６に示す部品表示・選択画面９０でマイカタログシート出力ボタン１０１が押下された部品情報カード９１の部品（商品）のカタログ情報と、この部品情報カード９１の部品と同じ上位カテゴリに属し、かつ、この部品情報カード９１の部品に関連する（従属する）する部品のカタログ情報（下位カテゴリ単位にまとめたもの）と、が編集出力されたものである。
【０２０３】
図１８に示すように、マイカタログシート２５０には、ヘッダー項目欄として、顧客（施主）名が表示される顧客名表示欄２５１、上位カテゴリの名称が表示される上位カテゴリ名称表示欄２５２等がある。
【０２０４】
また、マイカタログシート２５０の明細項目欄には、上述したように、部品表示・選択画面９０でマイカタログシート出力ボタン１０１が押下された部品情報カード９１の部品（商品）のカタログ情報用のもの（第１のパターン）と、この部品情報カード９１の部品と同じ上位カテゴリに属し、かつ、この部品情報カード９１の部品に関連する（従属する）する部品のカタログ情報（下位カテゴリ単位にまとめたもの）用のもの（第２のパターン）と、がある。
【０２０５】
マイカタログシート２５０の明細項目欄の上述した第１のパターンとして、部品表示・選択画面９０でマイカタログシート出力ボタン１０１が押下された部品情報カード９１の部品が属する下位カテゴリの名称が表示される下位カテゴリ名称表示欄２５３、部品表示・選択画面９０でマイカタログシート出力ボタン１０１が押下された部品情報カード９１の部品の品名が表示される品名表示欄２５４、部品表示・選択画面９０でマイカタログシート出力ボタン１０１が押下された部品情報カード９１の部品の商品概要情報（カタログ情報）である画像、品名、概要説明、メーカー名、販売時期、品番（先頭３桁）がそれぞれ表示される部品画像表示欄２５５、品名表示欄２５６、概要説明表示欄２５７、メーカー名表示欄２５８、販売始期表示欄２５９、品番表示欄２６０等がある。なお、部品画像表示欄２５５に表示される部品画像、品名表示欄２５６に表示される品名、概要説明表示欄２５７に表示される概要説明、販売始期表示欄２５９に表示される販売始期、品番表示欄２６０に表示される品番は、部品情報マスタ２２から参照、取得され、メーカー名表示欄２５８に表示されるメーカー名は、図示しないメーカーマスタから参照、取得される。
【０２０６】
また、マイカタログシート２５０の明細項目欄の上述した第２のパターンとして、部品表示・選択画面９０でマイカタログシート出力ボタン１０１が押下された部品情報カード９１の部品（第１のパターンの明細項目欄に表示される部品）に関連する部品が属する下位カテゴリの名称が表示される下位カテゴリ名称表示欄２６１、この下位カテゴリ名称表示欄２６１に表示される下位カテゴリに対して選択可能な部品の画像、品名、概要説明、この部品に対して選択されるべき属性種別の条件が記載された選択条件がそれぞれ表示される部品画像表示欄２６２、品名表示欄２６３、概要説明表示欄２６４、選択条件表示欄２６５がある。なお、部品画像表示欄２６２に表示される部品画像、品名表示欄２６３に表示される品名、概要説明表示欄２６４に表示される概要説明は、部品情報マスタ２２から参照、取得され、選択条件表示欄２６５に表示される選択条件は、後述するように、子部品属性候補情報マスタ２４から参照、取得される。
【０２０７】
さらに、マイカタログシート２５０の明細項目欄の第２のパターンとして、図１９に示されているように、図１８の部品画像表示欄２６２及び品名表示欄２６３に表示された部品の属性種別の名称が表示される属性種別名称表示欄２６６、この属性種別に対して選択可能な属性値を画像で表した属性画像情報、属性値の名称である属性値名称がそれぞれ表示される属性画像表示欄２６７、属性値名称表示欄２６８等がある。なお、属性種別名称表示欄２６６に表示される属性種別名称、属性画像表示欄２６７に表示される属性画像、属性値名称表示欄２６８に表示される属性値名称は、部品属性情報マスタ２３から参照、取得される。
【０２０８】
図１８及び図１９に示されているマイカタログシート２５０は、図６に示す部品表示・選択画面９０で表示されている複数の部品情報カード９１（図５に示すように上位カテゴリが「バスユニット」であって下位カテゴリが「バスユニット・グレード」が選択された場合に表示される「バスユニット・グレード」に対して選択可能な部品の情報カード）のうち、表示されている品名が「ＸシリーズＹタイプＺスタイル」（図示されず）となっている部品情報カード９１に配置されているマイカタログシート出力ボタン１０１が押下されることにより作成されるものである。
【０２０９】
図１８に示されているマイカタログシート２５０の例では、ヘッダー項目欄を構成する顧客名表示欄２５１には、現在、仕様を確定する対象（処理対象）となっている住宅の顧客名である「山田太郎」が表示され、上位カテゴリ名称表示欄２５２には、品名が「ＸシリーズＹタイプＺスタイル」となっている部品が属する上位カテゴリの名称である「バスユニット」が表示される。
【０２１０】
図１８に示されているマイカタログシート２５０の例では、第１のパターンの明細項目欄を構成する下位カテゴリ名称表示欄２５３には、部品表示・選択画面９０でマイカタログシート出力ボタン１０１が押下された部品情報カード９１の部品（名称が「ＸシリーズＹタイプＺスタイル」）が属する下位カテゴリの名称である「バスユニットシリーズ・グレード」が表示され、品名表示欄２５４には、部品表示・選択画面９０でマイカタログシート出力ボタン１０１が押下された部品情報カード９１の部品の名称である「ＸシリーズＹタイプＺスタイル」が表示され、部品画像表示欄２５５には、名称が「ＸシリーズＹタイプＺスタイル」の部品の画像（部品表示・選択画面９０の部品情報カード９１に表示されている画像と同じもの）が表示され、品名表示欄２５６、概要説明表示欄２５７、メーカー名表示欄２５８、販売始期表示欄２５９、品番表示欄２６０には、名称が「ＸシリーズＹタイプＺスタイル」の品名、概要説明、メーカー名、販売始期、品番（先頭の３桁のみ）がそれぞれ表示されている。
【０２１１】
また、図１８に示されているように、第２のパターンの明細項目欄を構成する下位カテゴリ名称表示欄２６１には、上述した下位カテゴリ名称表示欄２５３に表示されている下位カテゴリ（名称が「バスユニットシリーズ・グレード」）と同じ上位カテゴリ（名称が「バスユニット」）に属する下位カテゴリの名称「本体セット」が表示される。
【０２１２】
すなわち、下位カテゴリ名称表示欄２６１には、図１０に示す下位カテゴリ表示・選択画面７０に横方向に並んで配置されている下位カテゴリ情報表示欄７３に表示されている上位カテゴリ（名称が「バスユニット」）に属する複数の下位カテゴリのうち、名称が「バスユニットシリーズ・グレード」の下位カテゴリ情報表示欄７３の右隣に配置されている下位カテゴリ情報表示欄７３の表示されている下位カテゴリの名称「本体セット」が表示される。
【０２１３】
また、図１８に示されているように、第２のパターンの明細項目欄を構成する品名表示欄２６３には、名称が「本体セット」の下位カテゴリに対して選択可能な部品（商品）の名称（図１８に示す例では、左から順に「開き戸＋ＦＩＸタイプ  ＸＹＺ１．２５坪用」、「開き戸／３枚引戸タイプ  ＸＹＺ１．２５坪用」、「開き戸＋ＦＩＸタイプ  ＸＹＺ１．０坪用」、「開き戸／３枚引戸タイプ  ＸＹＺ１．０坪用」の４個の品名）が横並びに表示される。そして、それぞれの品名表示欄２６３の上に配置されている部品画像表示欄２６２には、それぞれの部品の画像が表示される。なお、顧客との打合せにより選択が確定又は保留されている部品の画像は、色付の枠線（例えば、選択が確定されている部品については、緑色の枠線、選択が保留されている部品については、橙色の枠線）で囲むようにしてもよい。
【０２１４】
これらの部品画像表示欄２６２と品名表示欄２６３に表示される部品の情報は、図８の部品表示・選択画面９０で表示される部品情報カード９１に表示される部品の情報（品名、画像）に対応するものとなっている。すなわち、図８の部品表示・選択画面９０で表示される部品情報カード９１に表示される部品の情報（品名、画像）と同じ情報が、図１８に示す第２のパターンの明細項目欄を構成する部品画像表示欄２６２と品名表示欄２６３に表示されるものとなっている。
【０２１５】
また、図１８に示す例では、概要説明表示欄２６４には、部品画像表示欄２６２と品名表示欄２６３に表示されている部品の概要情報（図１８に示す例では、４個の部品「開き戸＋ＦＩＸタイプ  ＸＹＺ１．２５坪用」、「開き戸／３枚引戸タイプ  ＸＹＺ１．２５坪用」、「開き戸＋ＦＩＸタイプ  ＸＹＺ１．０坪用」、「開き戸／３枚引戸タイプ  ＸＹＺ１．０坪用」の概要情報）が上から順に表示される。
【０２１６】
また、図１８に示す例では、選択条件表示欄２６５には、名称が「バスユニットシリーズ・グレード」の下位カテゴリに対して名称が「ＸシリーズＹタイプＺスタイル」の部品が選択された場合において、名称が「本体セット」の下位カテゴリに対して選択可能な４個の部品（「開き戸＋ＦＩＸタイプ  ＸＹＺ１．２５坪用」、「開き戸／３枚引戸タイプ  ＸＹＺ１．２５坪用」、「開き戸＋ＦＩＸタイプ  ＸＹＺ１．０坪用」、「開き戸／３枚引戸タイプ  ＸＹＺ１．０坪用」）のそれぞれに対して選択されるべき属性種別の条件が上から順に表示される。
【０２１７】
図２０には、図１８の選択条件表示欄２６５に表示されている選択条件の拡大図が示されている。
【０２１８】
この図２０に示されているように、選択条件表示欄２６５には、上述した４個の部品のそれぞれについての選択条件が上から順に表示されており、例えば、１番目の選択条件、すなわち、名称が「開き戸＋ＦＩＸタイプ  ＸＹＺ１．２５坪用」である部品に対して選択すべき属性種別の条件は、「１．バスユニットシリーズ・グレード／ＸシリーズＹタイプＺスタイルを選択した場合、［本体セット／開き戸＋ＦＩＸタイプ  ＸＹＺ１．２５坪用の坪数は、バスユニットシリーズ・グレード／ＸシリーズＹタイプＺタイルの坪数と同じ］になるように選択してください。」となっている。
【０２１９】
この選択条件は、名称が「バスユニットシリーズ・グレード」の下位カテゴリの部品（商品）として、品名が「ＸシリーズＹタイプＺスタイル」の部品を選択した場合において、名称が「本体セット」の下位カテゴリの部品（商品）として、部品名が「開き戸＋ＦＩＸタイプ  ＸＹＺ１．２５坪用」の部品を選択する場合には、この部品名が「開き戸＋ＦＩＸタイプ  ＸＹＺ１．２５坪用」の部品の属性種別名称である「坪数」と、品名が「ＸシリーズＹタイプＺスタイル」の部品の属性種別名称である「坪数」とが同じとなる（一致する）ように選択しなければならないという意味である。
【０２２０】
ここで、本実施形態では、品名が「開き戸＋ＦＩＸタイプ  ＸＹＺ１．２５坪用」の部品は、品名が「ＸシリーズＹタイプＺスタイル」の部品に従属する関係となっている。すなわち、本実施形態では、部品には、親部品と、この親部品に従属する関係となっている子部品と、があり、上記の例では、品名が「ＸシリーズＹタイプＺスタイル」の部品が親部品となっており、品名が「開き戸＋ＦＩＸタイプ  ＸＹＺ１．２５坪用」の部品が子部品となっている。この他、品名が「開き戸／３枚引戸タイプ  ＸＹＺ１．２５坪用」、「開き戸＋ＦＩＸタイプ  ＸＹＺ１．０坪用」、「開き戸／３枚引戸タイプ  ＸＹＺ１．０坪用」となっている３個の部品も、品名が「ＸシリーズＹタイプＺスタイル」の部品の子部品となっている。
【０２２１】
したがって、選択条件の編集要領を一般化すると、親部品の下位カテゴリ名称＆「／」＆親部品の品名＆「を選択した場合、」＆「［」＆子部品の下位カテゴリ名称＆「／」＆子部品の品名＆「の」＆子部品の属性種別名称＆「は、」＆親部品の下位カテゴリ名称＆「／」＆親部品の品名＆「の」＆親部品の属性種別名称＆「と同じ」＆「］」＆「になるように選択してください。」、となる。なお、「＆」は文字列同士を連結する意味である。
【０２２２】
前述したように、サーバ１には、親部品に対して選択された属性情報により決定される子部品の属性候補情報が記憶される子部品属性候補情報マスタ２４、言い換えると、親部品の属性情報と、この親部品の属性情報に対して選択可能（組合せ可能）な子部品の属性情報と、が記憶される子部品属性候補情報マスタ２４を備えている。そして、この子部品属性候補情報マスタ２４のデータ項目には、親部品が属する下位カテゴリの識別情報である親部品カテゴリＩＤ、親部品の識別情報である親部品ＩＤ、親部品の属性種別の名称である親部品属性種別名称、親部品の属性値の名称である親部品属性値名称、子部品の下位カテゴリの識別情報である子部品カテゴリＩＤ、子部品の識別情報である子部品ＩＤ、子部品の属性種別の名称である子部品属性種別名称、子部品の属性値の名称である子部品属性値名称、候補属性条件区分等がある。ここで、候補属性条件区分には、例えば、１（親部品の属性種別名称と、子部品の属性種別名称とが一致する（同じとなる））、３（子部品の属性値名称として、親部品の属性値名称が指定される））等がある。
【０２２３】
そして、サーバ１の部品カタログ作成処理手段５０は、子部品属性候補情報マスタ２４を参照し、上述した編集要領により、選択条件表示欄２６５に表示される選択条件を編集出力する。
【０２２４】
本実施形態では、子部品属性候補情報マスタ２４に記憶（登録）されるレコードの一例として、例えば、親部品カテゴリＩＤには、親部品「ＸシリーズＹタイプＺスタイル」が属する下位カテゴリ「バスユニットシリーズ・グレード」の部品カテゴリＩＤが格納され、親部品ＩＤには、親部品「ＸシリーズＹタイプＺスタイル」の部品ＩＤが格納され、親部品属性種別名称には、親部品「ＸシリーズＹタイプＺスタイル」の属性種別名称「坪数」が格納され、子部品カテゴリＩＤには、子部品「開き戸＋ＦＩＸタイプ  ＸＹＺ１．２５坪用」の部品カテゴリＩＤが格納され、子部品ＩＤには、子部品「開き戸＋ＦＩＸタイプ  ＸＹＺ１．２５坪用」の部品ＩＤが格納され、子部品属性種別名称には、子部品「開き戸＋ＦＩＸタイプ  ＸＹＺ１．２５坪用」の属性種別名称「坪数」が格納され、候補属性条件区分には、「１」が格納され、親部品属性値名称及び子部品属性値名称には、何も格納されないレコードが存在する。
【０２２５】
サーバ１の部品カタログ作成処理手段５０は、子部品属性候補情報マスタ２４の上記レコードと、前述した編集要領と、に基づき、図１８の選択条件表示欄２６５に表示される４個の選択条件のうちの１番目の選択条件を編集出力する処理を実行する。
【０２２６】
すなわち、部品カタログ作成処理手段５０は、図１８に示す品名表示欄２６３に表示される部品についての属性候補情報が、子部品属性候補情報マスタ２４に存在するかを判定する処理を実行する。具体的には、部品カタログ作成処理手段５０は、子部品属性候補情報マスタ２４のレコードのうち、子部品ＩＤが、図１８に示す品名表示欄２６３に表示される部品の識別情報である部品ＩＤと一致するレコードが存在するか否かを判定する処理を実行し、該当するレコードが存在した場合には、このレコードと、前述した編集要領と、に基づき、図１８の選択条件表示欄２６５に表示される選択条件を編集出力する処理を実行する。
【０２２７】
したがって、子部品属性候補情報マスタ２４に該当するレコードが無い、すなわち、子部品属性候補情報マスタ２４に属性候補情報が登録されていない部品については、この部品についての選択条件は、マイカタログシート２５０に出力されない。
【０２２８】
なお、図２０に示されている選択条件表示欄２６５に表示される他の３個の選択条件として、「２．バスユニットシリーズ・グレード／ＸシリーズＹタイプＺスタイルを選択した場合、［本体セット／開き戸／３枚引戸タイプ  ＸＹＺ１．２５坪用の坪数は、バスユットシリーズ・グレード／ＸシリーズＹタイプＺスタイルの坪数と同じ］になるように選択してください。」、「３．バスユニットシリーズ・グレード／ＸシリーズＹタイプＺスタイルを選択した場合、［本体セット／開き戸＋ＦＩＸタイプ  ＸＹＺ１．０坪用の坪数は、バスユニットシリーズ・グレード／ＸシリーズＹタイプＺスタイルの坪数と同じ］になるように選択してください。」と、「４．バスユニットシリーズ・グレード／ＸシリーズＹタイプＺスタイルを選択した場合、［本体セット／開き戸／３枚引戸タイプ  ＸＹＺ１．０坪用の坪数は、バスユニッットシリーズ・グレード／ＸシリーズＹタイプＺスタイルの坪数と同じ］になるように選択してください。」が記載されている。
【０２２９】
また、図１９に示されているように、第２のパターンの明細項目欄を構成する４個の属性種別名称表示欄２６６には、図１８の品名表示欄２５４に表示された部品の属性種別の名称である「床色」、「壁色」、「扉の向き」、「開閉方法」等が上から順に表示されている。
【０２３０】
この図１９に示されているように、１番目の属性種別名称表示欄２６６の下に配置されている属性値名称表示欄２６８には、属性種別「床色」に対して選択可能な属性値の名称である「ブラウン」、「ライトグレー」、「ホワイト」、「ダークグレー」が左から横並びに表示され、それぞれの属性値名称表示欄２６８の上に配置されている属性画像表示欄２６７には、それぞれの属性値名称表示欄２６８に表示されている属性値を画像で表した属性画像が表示されている。
【０２３１】
これと同様に、２番目の属性種別名称表示欄２６６の下に配置されている属性値名称表示欄２６８には、属性種別「壁色」に対して選択可能な属性値の名称である「ベージュウッド」、「セピアウッド」、「キャンバスホワイト」、「クリアレリーフホワイト」が左から横並びに表示され、３番目の属性種別名称表示欄２６６の下に配置されている属性値名称表示欄２６８には、属性種別「扉の向き」に対して選択可能な属性値の名称である「ＬＡ」、「ＬＣ」、「ＬＥ」、「ＲＡ」、「ＲＣ」、「ＲＥ」、「ＬＢ」、「ＲＢ」、「ＬＤ」、「ＲＤ」が左から横並びに表示され、４番目の属性種別名称表示欄２６６の下に配置されている属性値名称表示欄２６８には、属性種別「開閉方法」に対して選択可能な属性値の名称である「開＋腰ＦＩＸ（高）」、「開＋腰ＦＩＸ（低）」、「開＋ＦＩＸ（全高）」、「開き戸」、「３枚引戸」が左から横並びに表示されている。そして、それぞれの属性値名称表示欄２６８の上に配置されている属性画像表示欄２６７には、それぞれの属性値名称表示欄２６８に表示されている属性値を画像で表した属性画像が表示されている。
【０２３２】
なお、図２１には、図１８及び図１９に示されているマイカタログシート２５０を、端末装置３に接続されているプリンターに出力したもの（プリンターで紙に印刷したもの）であるマイカタログシート２７０の１頁目が示されており、図２２には、このマイカタログシート２７０の２頁目が示されている。
【０２３３】
図２１及び図２２に示すように、プリンターに出力されたＡ４サイズのマイカタログシート２７０は、図１８及び図１９に示されているマイカタログシート２５０とほぼ同様のレイアウトとなっている。
【０２３４】
なお、図１８及び図１９に示されているマイカタログシート２５０と、図２１及び図２０に示されているマイカタログシート２７０は、一部分であり、図１８及び図１９に示されているマイカタログシート２５０と、図２１及び図２０に示されているマイカタログシート２７０の例では、名称が「バスユニットシリーズ・グレード」、「本体セット」の下位カテゴリに属する部品のカタログ情報の他に、名称が「床」、「浴槽セット」、「浴槽セットオプション」、「出入りドア」、「ミラー」、「収納」、「シャワー水栓」、「シャワーヘッド」、「換気設備」、「照明」、「室内手摺」、「タオル掛け」、「バスユニットオプション」等の下位カテゴリに属する部品のカタログ情報が出力される。
【０２３５】
なお、本実施形態では、マイカタログシート２５０に出力される部品の属性種別情報（属性種別名称表示欄２６６、属性画像表示欄２６７、属性値名称表示欄２６８に表示される情報）は、図１９や図２２から分かるように、属性画像を有する属性種別情報のみとなっている。言い換えると、マイカタログシート２５０には、属性画像がある属性種別情報のみが出力され、属性値名称のみしかない属性種別情報は出力されない。
【０２３６】
すなわち、本実施形態では、部品カタログ作成処理手段５０は、部品属性情報マスタ２３のレコードのうち、部品属性画像が存在するレコードの部品についての属性種別情報を、マイカタログシート２５０に出力する処理を実行するものとなっている。
【０２３７】
以上説明したように、本実施形態では、仕様の打合せが今回終わらなかった（次回に持ち越しになった）部品や、次回に仕様の打合せを行う部品についてのマイカタログシートを、端末装置３にダウンロードすることができ、顧客は、このダウンロードされたマイカタログシートを持ち帰ることができる。そして、顧客は、ダウンロードされたマイカタログシートを、持ち帰り検討用カタログとして、また、次回の打合せの予習用カタログとして、利用することができる。
【０２３８】
このため、顧客は、次回の住宅ディーラーの担当者との打合せをスムーズに行うことができるようになる。言い換えると、住宅ディーラーの担当者は、次回の顧客との打合せをスムーズに行うことができるようになる。
【０２３９】
このように、本実施形態によると、住宅仕様の確定をより迅速に行えるようになる。
【０２４０】
なお、本実施形態では、マイカタログシートを作成する部品の選択は、顧客の住宅の仕様を確定するため住宅仕様情報選択入力画面を構成する図６に示す部品表示・選択画面９０で行うものであったが、マイカタログシートを作成する部品の選択専用の部品表示・選択画面を備え、この画面においてマイカタログシートの作成が行えるようにしてもよい。
【０２４１】
なお、マイカタログシートのデータ形式は、上述したスプレッドシート形式に限られるものではなく、任意なものでよい。
【０２４２】
図２３は、部品属性情報選択入力画面１１０において属性情報の選択入力が確定した部品（確定を保留した部品を含む）についての属性情報の一覧を照会するための仕様確定済部品一覧照会画面２１０（選択部品一覧照会画面２１０）を示す図である。なお、この仕様確定済部品一覧照会画面２１０における各処理は、サーバ１の仕様確定済部品一覧照会処理手段５２により実行される。
【０２４３】
この仕様確定済部品一覧照会画面２１０の右上部には、一覧表示させたい部品の最上位カテゴリを選択させるためのリスト形式の最上位カテゴリ（フロー１）選択メニュー２１１と、上位カテゴリを選択させるためのリスト形式の上位カテゴリ（フロー２）選択メニュー２１２が配置されており、これらの選択メニュー２１１，２１２において、最上位カテゴリと、上位カテゴリを選択した後、上位カテゴリ選択メニュー２１２の右側に配置されている［表示］ボタン２１３を押下することにより、図２３に示す仕様確定済部品の属性情報（仕様情報）の一覧が表示される。
【０２４４】
図２３に示されているように、仕様確定済部品一覧照会画面２１０には、ヘッダー情報が表示される表示欄として、顧客氏名が表示される顧客氏名表示欄２１７、サーバ１のシステム日付が表示されるシステム日付表示欄２１８、顧客の住宅の契約Ｎｏが表示される契約Ｎｏ表示欄２１９等がある。
【０２４５】
また、明細情報が表示される表示欄として、最上位カテゴリ名称が表示される最上位カテゴリ名称表示欄２２０、上位カテゴリ名称が表示される上位カテゴリ名称表示欄２２１、発注合計金額を上位カテゴリ単位で集計した上位カテゴリ別発注合計金額が表示される上位カテゴリ別発注合計金額表示欄２２２、パターン名称が表示されるパターン名称表示欄２２３、下位カテゴリ名称が表示される下位カテゴリ名称表示欄２２４、メーカー名称が表示されるメーカー名称表示欄２２５、部品名が表示される部品名表示欄２２６、データが登録・更新された日が表示されるデータ更新日表示欄２２７、部品画像が表示される部品画像表示欄２２８、属性種別の名称が表示される属性種別名称表示欄２２９、属性値の名称が表示される属性値名称表示欄２３０、属性値を画像で表した属性画像が表示される属性画像表示欄２３５、確定した品番が表示される品番表示欄２３１、確定した発注単価が表示される発注単価表示欄２３２、確定した発注数量が表示される発注数量表示欄２３３、下位カテゴリの発注合計金額が表示される下位カテゴリ発注合計金額表示欄２３４等があり、これらの表示欄に表示される情報は、パターン別に編集表示され、さらに、この同一パターンの中で、下位カテゴリ別に編集表示されるものとなっている。
【０２４６】
また、上位カテゴリ選択メニュー２１２の右側に配置されている［表示］ボタン２１３のさらに右側に配置されている［印刷］ボタン２１４を押下することにより、図２３に示す仕様確定済部品の属性情報（仕様情報）の一覧が、プリンターに出力される。
【０２４７】
なお、この仕様確定済部品一覧照会画面２１０についても、顧客モード画面と担当者モード画面と、があり、図２３は、担当者モードの仕様確定済部品一覧照会画面２１０が示されている。
【０２４８】
担当者モードとなっている仕様確定済部品一覧照会画面２１０の右最上部には、各種の帳票を出力するための［帳票出力］ボタン２４０が配置されており、図２４には、この［帳票出力］ボタン２４０が押下されたときに表示されるラジオボタン形式の出力帳票選択メニューウィンドウ２４１が示されている。この出力帳票選択メニューウィンドウ２４１において、出力するシート項目の左側に配置されているラジオボタンを押下し、［ＯＫ］ボタン２４１Ａを押下することにより、出力指定した帳票の出力処理が実行される。一方、［キャンセル］ボタン２４１Ｂを押下することにより、この出力帳票選択メニューウィンドウ２４１は画面から消去され、仕様確定済部品一覧照会画面２１０へ戻る。なお、出力帳票選択メニューウィンドウ２４１による出力帳票の選択処理は、図１に示すサーバ１の出力帳票選択受付処理手段５３により実行される。
【０２４９】
図２５には、図２４の出力帳票選択メニューウィンドウ２４１において、出力するシートとして「仕上表」を選択し、［ＯＫ］ボタン２４１Ａを押下したときに表示される仕上表出力処理確認ウィンドウ２４２が示されている。
【０２５０】
なお、上記［ＯＫ］ボタン２４１Ａが押下された時点で、仕様（属性）が未確定となっている部品がある場合には、図２５に示されているように、仕様が未確定となっている部品が属する下位カテゴリ名と注意メッセージが、図１に示すサーバ１の仕上表作成処理手段５５により、仕上表出力処理確認ウィンドウ２４２の上部に表示されるようになっている。
【０２５１】
本実施形態では、仕上表作成処理手段５５により作成された仕上表は、端末装置３に接続されたプリンターに直接出力されるものではなく、データファイルとして端末装置３に一旦ダウンロードされるものなっており、この仕上表のデータ形式（ファイル形式）は、市販又は無料配布の表計算ソフトウェアで読み込み可能なスプレッドシート形式となっている。
【０２５２】
仕上表作成処理手段５５は、サーバ１に予め保存されているスプレッドシート形式の仕上表の雛形を参照し、この参照した仕上表の雛形を構成する各セルに、仕上表を作成する対象となっている顧客のデータ（サーバ１の顧客情報テーブル１０に記憶（登録）されている顧客情報や、住宅仕様情報テーブル１１に記憶（登録）されている住宅仕様情報等のデータ）を編集（埋め込む）する処理を実行するものとなっている。
【０２５３】
本実施形態では、仕上表作成処理手段５５により参照される仕上表の雛形として、端末装置３あるいはネットワーク接続されていないＰＣ（パソコン）等において表計算ソフトウェアでカスタマイズしたものを利用することができる。
【０２５４】
図２５に示されている仕上表出力処理確認ウィンドウ２４２の中央部には、サーバ１にアップロードする仕上表の雛形を参照入力するための［参照］ボタン２４２Ｂ、アップロードする仕上表の雛形が格納されているドライブ名及びフォルダ名、アップロードする仕上表の雛形のファイル名を直接入力するための仕上表雛形ファイル名入力欄２４２Ｃ、指定した仕上表の雛形をサーバ１にアップロード（登録）するための［登録］ボタン２４２Ｄが配置されている。
【０２５５】
図２６には、［登録］ボタン２４２Ｄが押下されたときに表示される仕上表雛形ファイル指定ウィンドウ２４３が表示されている。この仕上表雛形ファイル指定ウィンドウ２４３で、アップロードする仕上表の雛形を指定入力した後、［開く（Ｏ）］ボタン２４３Ａが押下されると、仕上表出力処理確認ウィンドウ２４２へ戻り、図２６の仕上表雛形ファイル名入力欄２４３Ｃに表示された仕上表の雛形のファイル名が、図２５に示す仕上表出力処理確認ウィンドウ２４２の仕上表雛形ファイル名入力欄２４２Ｃに表示される。なお、［キャンセル］ボタン２４３Ｂが押下されると、処理が中止され、仕上表出力処理確認ウィンドウ２４２へ戻る。
【０２５６】
サーバ１にアップロードする仕上表の雛形を、図２６に示す仕上表雛形ファイル指定ウィンドウ２４３で指定入力し、あるいは、図２５に示す仕上表出力処理確認ウィンドウ２４２の仕上表雛形ファイル名入力欄２４２Ｃで直接入力し、この仕上表出力処理確認ウィンドウ２４２の［登録］ボタン２４２Ｄが押下されることにより、指定された仕上表の雛形がサーバ１の所定のフォルダへアップロードされる処理が、図１に示すサーバ１の仕上表雛形アップロード処理手段５４により実行される。
【０２５７】
この後、図２５の仕上表出力処理確認ウィンドウ２４２の［ＯＫ］ボタン２４２Ｅが押下されると、サーバ１の仕上表作成処理手段５５は、サーバ１にアップロードされた上記仕上表の雛形と、仕上表を作成する対象となっている顧客のデータ（サーバ１の顧客情報テーブル１０に記憶（登録）されている顧客情報や、住宅仕様情報テーブル１１に記憶（登録）されている住宅仕様情報等のデータ）を参照して仕上表の作成処理を実行する。なお、［キャンセル］ボタン２４２Ｆが押下されると、処理が中止され、図２３の仕様確定済部品一覧照会画面２１０へ戻る。
【０２５８】
なお、仕上表の雛形をサーバ１にアップロードせずに、［ＯＫ］ボタン２４２Ｅが押下された場合には、仕上表作成処理手段５５は、本システムの運用開始前に予めサーバ１にアップロードされていた仕上表の雛形（カスタマイズされていないもの）、あるいは、本システムの運用開始後にカスタマイズされた仕上表の雛形がサーバ１にアップロードされていた場合にはこの仕上表の雛形、を参照して仕上表を作成する処理を実行する。
【０２５９】
仕上表作成処理手段５５による仕上表の作成処理が終了すると、作成された仕上表を端末装置３にダウンロードするためのサーバ１の仕上表ダウンロード処理手段５６による処理の実行が開始され、図２７に示す仕上表ダウンロード処理確認ウィンドウ２４４が表示される。
【０２６０】
この仕上表ダウンロード処理確認ウィンドウ２４４において、［保存（Ｓ）］ボタン２４４Ａが押下されると、図２８に示す仕上表保存先指定ウィンドウ２４５が表示され、［キャンセル］ボタン２４４Ｂが押下されると、処理が中止され、図２３の仕様確定済部品一覧照会画面２１０へ戻る。
【０２６１】
図２８に示されているように、仕上表保存先指定ウィンドウ２４５の仕上表ファイル名入力欄２４５Ｃに表示されているように、仕上表のデフォルトのファイル名は、顧客名と、文字列「様＿仕上表＿」と、サーバ１のシステム日付（仕上表シートの作成処理日）と、を連結した文字列となる。そして、この仕上表ファイル名入力欄２４５Ｃにおいて、作成された仕上表の保存先のドライブ名、フォルダ名、ファイル名の変更ができるようになっている。
【０２６２】
この仕上表保存先指定ウィンドウ２４５において、保存先のドライブ名、フォルダ名の指定、ファイル名の変更が終了した後、［保存（Ｓ）］ボタン２４５Ａが押下されると、指定したドライブ、フォルダに、指定したファイル名で、スプレッドシート形式の仕上表が端末装置３の記憶装置に保存される。なお、［キャンセル］ボタン２４５Ｂが押下されると、処理が中止され、図２３の仕様確定済部品一覧照会画面２１０へ戻る。
【０２６３】
図２９は、サーバ１からダウンロードされ、端末装置３にインストールされた市販の表計算ソフトウェアにより読み込まれ、この端末装置３のディスプレイに表示された仕上表３００の全体図を示す図である。
【０２６４】
この図２９に示すように、仕上表３００は、内部仕上表欄３００Ａと、附帯部品・設備欄３００Ｂと、内部仕様欄３００Ｃと、外部仕様欄３００Ｄと、工事範囲欄３００Ｅと、特記事項欄３００Ｆと、防火性能欄３００Ｇと、表題欄３００Ｈと、を含んで構成されている。
【０２６５】
図３０は、図２９に示す仕上表３００のうち、内部仕上表欄３００Ａの一部の拡大図であり、図３１は、図２９に示す仕上表３００のうち、表題欄３００Ｈの一部と内部仕様欄３００Ｃの拡大図であり、図３２は、図２９に示す仕上表３００のうち、外部仕様欄３００Ｄと、工事範囲欄３００Ｅと、特記事項欄３００Ｆと、防火性能欄３００Ｇと、表題欄３００Ｈの一部の拡大図である。
【０２６６】
図３０に示すように、内部仕上表欄３００Ａのうち、「巾木」、「廻り縁」、「備考」、「電気設備」、「給排水」の欄がハッチング表示されている（実際には、背景が黄色等に着色されている。以下同じ）。また、図３１に示すように、内部仕様欄３００Ｃのうち、「階段」の一部、「断熱」、「公庫割増」の欄がハッチング表示されている。また、図３２に示すように、外部仕様欄３００Ｄのうち、「階高」、「屋根形状」、「備考」の欄と、工事範囲欄３００Ｅと、特記事項欄３００Ｆと、防火性能欄３００Ｇがハッチング表示されている。さらに、図３１及び図３２に示すように、表題欄３００Ｈのうち、ディーラー（住宅の販売会社）名表示欄、ＴＩＴＬＥ表示欄の見出し部分、ＴＹＰＥ表示欄の見出し部分、ＳＣＡＬＥ表示欄の見出し部分、ＡＭＥＮＤＭＥＮＴＳ表示欄、承認欄、確認欄、Ｎｏ．欄等がハッチング表示されている。
【０２６７】
ここで、サーバ１に保存されている前述した仕上表の雛形は、サーバ１からダウンロードされたこの仕上表３００と同じレイアウト構造を有しており、このため、仕上表の雛形にも、図３０〜図３２に示されているのと同様のハッチング表示処理（着色処理）がなされている。
【０２６８】
本実施形態では、仕上表の雛形のうち、上述したハッチング表示された部分（セル）については、カスタマイズが可能となっている。
【０２６９】
すなわち、住宅のディーラーの担当者は、端末装置３あるいはネットワーク接続されていないＰＣ（パソコン）等において、表計算ソフトウェア（ビューワーソフトウェアを除く）で仕上表の雛形を読み込み、上述したハッチング表示された部分（セル）を必要に応じて適宜カスタマイズする（データの入力・修正を行う）ことができる。
【０２７０】
この後は、前述したように、カスタマイズした仕上表の雛形をサーバ１にアップロードした後、サーバ１の仕上表作成処理手段５５による仕上表の作成処理を実行させる。
【０２７１】
これにより、仕上表作成処理手段５５は、サーバ１に保存されているスプレッドシート形式の仕上表の雛形を参照、複製した後、複製された仕上表の各セルのうち、ハッチング表示されているセル以外のセルに、仕上表の作成対象となっている顧客のデータ（サーバ１の顧客情報テーブル１０に記憶（登録）されている顧客情報、住宅仕様情報テーブル１１に記憶（登録）されている住宅仕様情報等のデータ）を編集（埋め込む）する処理を実行する。なお、仕上表における部品の仕上場所情報は、住宅仕様情報テーブル１１の「仕上区分」（０（仕上カテゴリ以外）、１（壁）、２（天井）等）や、部品カテゴリ情報マスタ２０の「仕上区分」（データ内容は、住宅仕様情報テーブル１１の「仕上区分」と同じ）を参照することにより取得される。なお、住宅仕様情報テーブル１１の「仕上区分」は、図示しない仕上げ選択画面で入力される。
【０２７２】
したがって、端末装置３には、ハッチング表示されている部分（セル）がカスタマイズされたままの状態となっている仕上表３００がダウンロードされる。言い換えると、ハッチング表示されている部分（セル）以外の部分をカスタマイズしても、この部分には、仕上表作成処理手段５５により作成された情報（データ）が無条件に編集（埋め込み）される。
【０２７３】
なお、図３３には、図２９に示されている仕上表３００を、端末装置３に接続されているプリンターに出力したものである仕上表３１０が示されている。この図３３に示すように、プリンターに出力されたＡ３サイズの仕上表３１０は、図２９に示されている仕上表３００と同様のレイアウトとなっている。
【０２７４】
以上説明したように、本実施形態では、サーバ１は、仕上表を作成するための仕上表作成処理手段５５と、この仕上表作成処理手段５５により作成された仕上表をダウンロードするための仕上表ダウンロード処理手段５６と、を備えており、仕上表作成処理手段５５は、サーバ１に保存されている仕上表の雛形と、確定された顧客の住宅の仕様情報と、に基づいて仕上表を作成するものとなっている。
【０２７５】
また、仕上表の雛形のうちの少なくとも一部の範囲はカスタマイズ可能となっており、サーバ１は、カスタマイズされた仕上表の雛形をサーバにアップロードする仕上表雛形アップロード処理手段５４を備えている。
【０２７６】
そして、仕上表の雛形のデータ形式は、市販あるいは無料配布されている表計算ソフトウェアで読み書き可能なスプレッドシート形式となっており、仕上表作成処理手段５５により作成される仕上表のデータ形式も、市販あるいは無料配布されている表計算ソフトウェアで読み書き可能なスプレッドシート形式となっている。
【０２７７】
また、仕上表の雛形のうちのカスタマイズ可能なセルは、着色されており、仕上表作成処理手段５５は、仕上表の雛形のうちのカスタマイズ可能なセルを除いたセルに、顧客の住宅の仕様情報を編集（埋め込み）するものとなっている。
【０２７８】
このように、本実施形態によると、仕上表を、住宅のディーラー（販売会社）毎に自由にカスタマイズすることが可能となる。
【０２７９】
なお、仕上表の雛形のデータ形式、仕上表作成処理手段５５により作成される仕上表のデータ形式は、上述したスプレッドシート形式に限られるものではなく、任意なものでよい。
【０２８０】
また、仕上表の雛形のうち、カスタマイズ可能な部分は、図３０〜図３２に示す範囲に限られるものではなく、任意であり、また、仕上表の雛形における全範囲をカスタマイズ可能としてもよい。
【０２８１】
なお、本実施形態に係る住宅仕様確定支援システムは、主として住宅のディーラー（販売会社（販売店））で運用されるものである。
【０２８２】
なお、以上説明した実施形態において、サーバ１に備えられている記憶手段である各テーブル、マスタの構成、データ構造は、任意なものでよく、前述したものに限定されるものではない。
【産業上の利用可能性】
【０２８３】
本発明は、住宅仕様の確定を支援するための住宅仕様確定支援システムに利用できる。
【符号の説明】
【０２８４】
１  サーバ
２  ネットワーク
３  端末装置
１０  顧客情報記憶手段である顧客情報テーブル
１１  住宅仕様情報記憶手段である住宅仕様情報テーブル
１５  仕上表の雛形
１６  仕上表
５４  仕上表雛形アップロード処理手段
５５  仕上表作成処理手段
５６  仕上表ダウンロード処理手段
【図１】
0005875716.tif 000002
【図２】
0005875716.tif 000003
【図３】
0005875716.tif 000004
【図４】
0005875716.tif 000005
【図５】
0005875716.tif 000006
【図６】
0005875716.tif 000007
【図７】
0005875716.tif 000008
【図８】
0005875716.tif 000009
【図９】
0005875716.tif 000010
【図１０】
0005875716.tif 000011
【図１１】
0005875716.tif 000012
【図１２】
0005875716.tif 000013
【図１３】
0005875716.tif 000014
【図１４】
0005875716.tif 000015
【図１５】
0005875716.tif 000016
【図１６】
0005875716.tif 000017
【図１７】
0005875716.tif 000018
【図１８】
0005875716.tif 000019
【図１９】
0005875716.tif 000020
【図２０】
0005875716.tif 000021
【図２１】
0005875716.tif 000022
【図２２】
0005875716.tif 000023
【図２３】
0005875716.tif 000024
【図２４】
0005875716.tif 000025
【図２５】
0005875716.tif 000026
【図２６】
0005875716.tif 000027
【図２７】
0005875716.tif 000028
【図２８】
0005875716.tif 000029
【図２９】
0005875716.tif 000030
【図３０】
0005875716.tif 000031
【図３１】
0005875716.tif 000032
【図３２】
0005875716.tif 000033
【図３３】
0005875716.tif 000034